(57)【要約】  本出願は、通信技術の分野に関し、特に、アンテナモジュール、ＭＩＭＯアンテナ、および端末に関する。アンテナモジュールは、複数の帯域において動作し得て、アンテナモジュールの小型化が実現され得る。アンテナモジュールがＭＩＭＯアンテナに適用される場合、ＭＩＭＯアンテナのサイズが低減され得る。ＭＩＭＯアンテナが端末に適用される場合、端末に対する小型化の設計要求が満たされ得る。本出願の実施形態は、アンテナモジュールを提供する。アンテナモジュールは、クリアランス領域と、サポートと、少なくとも２つのブランチとを備え、各ブランチはサポート上に配置され、サポートの、水平面上の部分投影がクリアランス領域内に収まり、各ブランチの、給電点に接続されるように構成された１つの端部の、水平面上の投影がクリアランス領域の外側にあり、末端の、水平面上の投影がクリアランス領域の内側にある。
2019506038.tif 000002
【特許請求の範囲】
【請求項１】
アンテナモジュールであって、前記アンテナモジュールは、クリアランス領域（１１）と、サポート（１２）と、少なくとも２つのブランチ（１３）とを備え、
各ブランチ（１３）は前記サポート（１２）上に配置され、前記サポート（１２）の、水平面上の部分投影が前記クリアランス領域（１１）内に収まり、各ブランチ（１３）の、給電点に接続されるように構成された１つの端部の、前記水平面上の投影が前記クリアランス領域（１１）の外側にあり、末端の、前記水平面上の投影が前記クリアランス領域（１１）の内側にある、
アンテナモジュール。
【請求項２】
前記クリアランス領域（１１）は、互いに隣接する第１の側縁部（ａ）および第２の側縁部（ｂ）と、前記第１の側縁部（ａ）および前記第２の側縁部（ｂ）にそれぞれ対向して配置された第３の側縁部（ｃ）および第４の側縁部（ｄ）とを有し、前記サポート（１２）は、互いに隣接する第１の側面および第２の側面と、前記第１の側面および前記第２の側面にそれぞれ対向する第３の側面および第４の側面とを有し、
前記サポート（１２）の、前記水平面上の前記第２の側面の投影が、前記クリアランス領域（１１）の前記第２の側縁部（ｂ）の直線上に収まり、前記クリアランス領域（１１）の前記第２の側縁部（ｂ）の少なくとも一部と重なり、前記サポート（１２）の、前記水平面上の投影と、前記クリアランス領域（１１）の前記第３の側縁部（ｃ）および前記第４の側縁部（ｄ）のそれぞれとの間の距離が、０ｍｍ〜５ｍｍであり、前記サポート（１２）の前記第１の側面は、前記クリアランス領域（１１）の外側にある、
請求項１に記載のアンテナモジュール。
【請求項３】
前記少なくともの２つのブランチは、第１の給電ブランチ（１３１）および第２の給電ブランチ（１３２）を含み、前記アンテナモジュールはさらに、前記給電点（１４）および接地点（１５）を備え、
前記第１の給電ブランチ（１３１）の、前記給電点に接続されるように構成された１つの端部が、前記サポート（１２）の前記第１の側面上に配置され、かつ前記サポート（１２）の前記第１の側面に沿って前記サポート（１２）の前記第２の側面へ延伸し、前記接地点（１５）は、前記サポート（１２）の前記第１の側面上の前記第１の給電ブランチ（１３１）に接続され、
前記第２の給電ブランチ（１３２）の、前記給電点に接続されるように構成された１つの端部が、前記サポート（１２）の前記第１の側面上の前記第１の給電ブランチ（１３１）に接続され、かつ前記サポート（１２）の前記第１の側面に沿って前記サポート（１２）の上面へ延伸し、
前記第１の給電ブランチ（１３１）の長さが第１の予め設定した帯域に対応する波長の１／４であり、前記第２の給電ブランチ（１３２）の長さが第２の予め設定した帯域に対応する波長の１／８である、
請求項２に記載のアンテナモジュール。
【請求項４】
前記少なくともの２つのブランチはさらに、寄生ブランチ（１３３）を含み、
前記寄生ブランチ（１３３）は、前記クリアランス領域（１１）の内側に配置され、前記寄生ブランチ（１３３）の１つの端部（Ｑ）が、前記クリアランス領域（１１）の前記第１の側縁部（ａ）に接続され、
前記寄生ブランチ（１３３）の長さが第３の予め設定した帯域に対応する波長の１／１０である、
請求項３に記載のアンテナモジュール。
【請求項５】
前記クリアランス領域（１１）は、互いに直交する第１の領域（１１１）および第２の領域（１１２）を有し、前記第１の領域（１１１）は、互いに隣接する側縁部Ｉ（ｉ）および側縁部ＩＩ（ｍ）と、前記側縁部Ｉ（ｉ）および前記側縁部ＩＩ（ｍ）にそれぞれ対向して配置された側縁部ＩＩＩ（ｎ）および側縁部ＩＶ（ｏ）とを含み、前記第２の領域（１１２）は、前記第１の領域（１１１）の前記側縁部ＩＩ（ｍ）の長さ方向に沿って延出する構造であり、前記サポート（１２）は、互いに隣接する第１の側面および第２の側面と、前記第１の側面および前記第２の側面にそれぞれ対向する第３の側面および第４の側面とを有し、
前記サポート（１２）の、前記水平面上の前記第３の側面の投影が、前記第１の領域（１１１）の前記側縁部Ｉ（ｉ）と重なり、前記サポート（１２）の、前記水平面上の前記第２の側面の投影が、前記第１の領域（１１１）の前記側縁部ＩＶ（ｏ）の直線上に収まり、かつ前記第１の領域（１１１）の前記側縁部ＩＶ（ｏ）の一部と重なり、前記サポート（１２）の、前記水平面上の投影と、前記第１の領域（１１１）の前記側縁部ＩＩ（ｍ）および前記第２の領域（１１２）の、前記第１の領域（１１１）から遠く離れた側縁部（ｅ）のそれぞれとの間の距離が０ｍｍ〜５ｍｍであり、前記サポート（１２）の、前記水平面上の前記第１の側面の部分投影が前記クリアランス領域（１１）の外側にある、
請求項１に記載のアンテナモジュール。
【請求項６】
前記少なくとも２つのブランチは、給電ブランチＩ（１３４）および給電ブランチＩＩ（１３５）を含み、前記アンテナモジュールはさらに、前記給電点（１４）および接地点（１５）を備え、
前記給電ブランチＩ（１３４）の、前記給電点に接続されるように構成された１つの端部（Ｌ）が、前記給電点（１４）に接続され、前記給電ブランチＩ（１３４）の第１の端部が、前記サポート（１２）の前記第１の側面上に配置され、かつ前記サポート（１２）の前記第１の側面に沿って前記サポート（１２）の前記第２の側面へ延伸し、前記接地点（１５）は、前記サポート（１２）の前記第２の側面上の前記給電ブランチＩ（１３４）上に配置され、
前記給電ブランチＩＩ（１３５）の、前記給電点に接続されるように構成された１つの端部（Ｍ）が、前記サポート（１２）の前記第１の側面上の前記給電ブランチＩ（１３４）に接続され、かつ前記サポート（１２）の前記第１の側面に沿って前記サポート（１２）の上面へ延伸し、
前記給電ブランチＩ（１３４）の長さが第１の予め設定した帯域に対応する波長の１／４であり、前記給電ブランチＩＩ（１３５）の長さが第２の予め設定した帯域に対応する波長の１／８である、
請求項５に記載のアンテナモジュール。
【請求項７】
前記少なくともの２つのブランチはさらに、給電ブランチＩＩＩ（１３６）を含み、
前記給電ブランチＩＩＩ（１３６）の、前記給電点に接続されるように構成された１つの端部（Ｎ）が、前記サポート（１２）の前記第１の側面上の前記給電ブランチＩＩ（１３５）に接続され、かつ前記サポート（１２）の前記第１の側面に沿って前記サポート（１２）の前記第４の側面へ延伸し、
前記給電ブランチＩＩＩ（１３６）の長さが第３の予め設定した帯域に対応する波長の１／１０である、
請求項６に記載のアンテナモジュール。
【請求項８】
接地プレート（１００）と、前記接地プレート（１００）上に配置された少なくとも２つのアンテナモジュールとを備えるＭＩＭＯアンテナであって、
各アンテナモジュールは、クリアランス領域（１１）と、サポート（１２）と、少なくとも２つのブランチ（１３）とを有し、
各ブランチ（１３）は、前記サポート（１２）上に配置され、前記サポート（１２）の、水平面上の部分投影が、前記クリアランス領域（１１）内に収まり、各ブランチ（１３）の、給電点に接続されるように構成された１つの端部の、前記水平面上の投影が前記クリアランス領域（１１）の外側にあり、末端の、前記水平面上の投影が前記クリアランス領域（１１）の内側にある、
ＭＩＭＯアンテナ。
【請求項９】
前記クリアランス領域（１１）は、互いに隣接する第１の側縁部（ａ）および第２の側縁部（ｂ）と、前記第１の側縁部（ａ）および前記第２の側縁部（ｂ）のそれぞれに対向して配置された第３の側縁部（ｃ）および第４の側縁部（ｄ）とを有し、前記サポート（１２）は、互いに隣接する第１の側面および第２の側面と、前記第１の側面および前記第２の側面のそれぞれに対向する第３の側面および第４の側面とを有し、
前記サポート（１２）の前記第２の側面の、前記水平面上の投影が、前記クリアランス領域（１１）の前記第２の側縁部（ｂ）の直線上に収まり、かつ前記クリアランス領域（１１）の前記第２の側縁部（ｂ）の少なくとも一部と重なり、前記サポート（１２）の、前記水平面上の投影と、前記クリアランス領域（１１）の前記第３の側縁部（ｃ）および前記第４の側縁部（ｄ）のそれぞれとの間の距離が０ｍｍ〜５ｍｍであり、前記サポート（１２）の前記第１の側面は前記クリアランス領域（１１）の外側にある、
請求項８に記載のＭＩＭＯアンテナ。
【請求項１０】
前記少なくとも２つのアンテナモジュールは、第１のアンテナモジュール（１）および第２のアンテナモジュール（２）を含み、前記第１のアンテナモジュール（１）および前記第２のアンテナモジュール（２）は、任意の２つの隣接アンテナモジュールであり、
前記第１のアンテナモジュール（１）および前記第２のアンテナモジュール（２）が同じ構造を有し、前記第１のアンテナモジュール（１）および前記第２のアンテナモジュール（２）が第１の方向（ｆ１）および第２の方向（ｆ２）において千鳥状に順次配置され、前記第１のアンテナモジュール（１）の第２の側面が前記第１の方向（ｆ１）と反対の第３の方向（ｆ３）に面し、前記第２のアンテナモジュール（２）の第２の側面が前記第２の方向（ｆ２）に面する場合、前記２つの隣接アンテナモジュールの給電点（１４）の間の距離が、前記アンテナモジュールによりカバーされる最も低い帯域に対応する波長の１／４より長いかまたはそれに等しく、
前記第１のアンテナモジュール（１）および前記第２のアンテナモジュール（２）が鏡面対称であり、前記第１のアンテナモジュール（１）および前記第２のアンテナモジュール（２）が第１の方向（ｆ１）および第２の方向（ｆ２）において千鳥状に順次配置され、前記第１のアンテナモジュール（１）の第２の側面が前記第１の方向（ｆ１）と反対の第３の方向（ｆ３）に面し、前記第２のアンテナモジュール（２）の第２の側面が前記第２の方向（ｆ２）に面する場合、前記２つの隣接アンテナモジュールの給電点（１４）の間の距離が、前記アンテナモジュールによりカバーされる最も低い帯域に対応する波長の１／４より長いかまたはそれに等しく、
前記第１のアンテナモジュール（１）および前記第２のアンテナモジュール（２）が鏡面対称であり、逆の給電方向を有する場合、前記２つの隣接アンテナモジュールの給電点（１４）の間の距離が、前記アンテナモジュールによりカバーされた最も低い帯域に対応する波長の１／８より長いかまたはそれに等しく、
前記第１のアンテナモジュール（１）および前記第２のアンテナモジュール（２）が鏡面対称であり、反対の給電方向を有する場合、前記２つの隣接アンテナモジュールの給電点（１４）の間の距離が、前記アンテナモジュールによりカバーされる最も低い帯域に対応する波長の１／４より長いかまたはそれに等しいか、または、
前記第１のアンテナモジュール（１）および前記第２のアンテナモジュール（２）が鏡面対称であり、同じ給電方向を有し、前記２つの隣接アンテナモジュールの第４の側面が互いに対向して配置された場合、前記２つの隣接アンテナモジュールの給電点（１４）の間の距離が、前記アンテナモジュールによりカバーされる最も低い帯域に対応する波長の１／４より長いかまたはそれに等しい、
請求項９に記載のＭＩＭＯアンテナ。
【請求項１１】
２つから８つのアンテナモジュールが存在する、請求項１０に記載のＭＩＭＯアンテナ。
【請求項１２】
８つのアンテナモジュールが存在する場合、前記８つのアンテナモジュール（１〜８）は、第１の囲まれた領域を囲むように順次配置され、各アンテナモジュール（１〜８）の第２の側面が、前記第１の囲まれた領域の外部に面する、請求項１１に記載のＭＩＭＯアンテナ。
【請求項１３】
前記クリアランス領域（１１）は、互いに直交する第１の領域（１１１）および第２の領域（１１２）を有し、前記第１の領域（１１１）は、互いに隣接する側縁部Ｉ（ｉ）および側縁部ＩＩ（ｍ）と、前記側縁部Ｉ（ｉ）および前記側縁部ＩＩ（ｍ）にそれぞれ対向して配置された側縁部ＩＩＩ（ｎ）および側縁部ＩＶ（ｏ）とを含み、前記第２の領域（１１２）は、前記第１の領域（１１１）の前記側縁部ＩＩ（ｍ）の長さ方向に沿って延出する構造であり、前記サポート（１２）は、互いに隣接する第１の側面および第２の側面と、前記第１の側面および前記第２の側面にそれぞれ対向する第３の側面および第４の側面とを有し、
前記サポート（１２）の前記第３の側面の、前記水平面上の投影が、前記第１の領域（１１１）の前記側縁部Ｉ（ｉ）と重なり、前記サポート（１２）の前記第２の側面の、前記水平面上の投影が、前記第１の領域（１１１）の前記側縁部ＩＶ（ｏ）の直線上に収まり、かつ前記第１の領域（１１１）の前記側縁部ＩＶ（ｏ）の一部と重なり、前記サポート（１２）の、前記水平面上の投影と、前記第１の領域（１１１）の前記側縁部ＩＩ（ｍ）および前記第２の領域（１１２）の、前記第１の領域（１１１）から遠く離れた側縁部（ｅ）のそれぞれとの間の距離が０ｍｍ〜５ｍｍであり、前記サポート（１２）の前記第１の側面の、前記水平面上の部分投影が、前記クリアランス領域（１１）の外側にある、請求項８に記載のＭＩＭＯアンテナ。
【請求項１４】
前記少なくとも２つのアンテナモジュールは、第３のアンテナモジュール（３）および第４のアンテナモジュール（４）を含み、前記第３のアンテナモジュール（３）および前記第４のアンテナモジュール（４）は、任意の２つの隣接アンテナモジュールであり、
前記第３のアンテナモジュール（３）および前記第４のアンテナモジュール（４）が同じ構造を有し、互いに直交して配置され、前記第３のアンテナモジュール（３）および前記第４のアンテナモジュール（４）が第２の方向（ｆ２）と反対の第４の方向（ｆ４）に沿って順次配置され、前記第３のアンテナモジュール（３）の第１の側面が前記第４のアンテナモジュール（４）の第４の側面に対向する場合、前記２つの隣接アンテナモジュールの給電点（１４）との間の距離が、前記アンテナモジュールによりカバーされる最も低い帯域に対応する波長の１／８より長いかまたはそれに等しく、
前記第３のアンテナモジュール（３）および前記第４のアンテナモジュール（４）が、同じ構造を有して第４の方向に垂直する第１の方向に沿って順次配置され、前記第３のアンテナモジュール（３）の第４の側面が前記第４のアンテナモジュール（４）の第１の側面または第２の側面に対向する場合、前記２つの隣接アンテナモジュールの給電点（１４）の間の距離が、前記アンテナモジュールによりカバーされる最も低い帯域に対応する波長の１／４より長いかまたはそれに等しく、
前記第３のアンテナモジュール（３）および前記第４のアンテナモジュール（４）が同じ構造を有して逆の給電方向を有し、第４の方向（ｆ４）に沿って順次配置された場合、前記２つの隣接アンテナモジュールの給電点（１４）の間の距離が、前記アンテナモジュールによりカバーされる最も低い帯域に対応する波長の１／４より長いかまたはそれに等しく、
前記第３のアンテナモジュール（３）および前記第４のアンテナモジュール（４）が鏡面対称であり、互いに直交して配置されて第４の方向（ｆ４）に沿って順次配置され、前記第３のアンテナモジュール（３）の第２の側面が前記第４のアンテナモジュール（４）の第１の側面に対向する場合、前記２つの隣接アンテナモジュールの給電点（１４）の間の距離が、前記アンテナモジュールによりカバーされた最も低い帯域に対応する波長の１／８より長いかまたはそれに等しいか、または、
前記第３のアンテナモジュール（３）および前記第４のアンテナモジュール（４）が鏡面対称であり、第１の方向に沿って順次配置され、前記第３のアンテナモジュール（３）の第４の側面が前記第４のアンテナモジュール（４）の第３の側面または第４の側面に対向する場合、前記２つの隣接アンテナモジュールの給電点（１４）の間の距離が、前記アンテナモジュールによりカバーされた最も低い帯域に対応する波長の１／４より長いかまたはそれに等しい、
請求項１３に記載のＭＩＭＯアンテナ。
【請求項１５】
２つから８つのアンテナモジュールが存在する、請求項１４に記載のＭＩＭＯアンテナ。
【請求項１６】
８つのアンテナモジュールが存在する場合、前記８つのアンテナモジュール（１〜８）は、第２の囲まれた領域を囲むように順次配置され、各アンテナモジュールの第２の側面または第３の側面が、前記第２の囲まれた領域の外部に面する、請求項１５に記載のＭＩＭＯアンテナ。
【請求項１７】
ＭＩＭＯアンテナと、プリント回路基板上に配置された無線周波数端部とを備える端末であって、前記ＭＩＭＯアンテナの各給電点が、前記無線周波数端部に接続され、前記無線周波数端部は、信号を前記ＭＩＭＯアンテナへ送信するか、または前記ＭＩＭＯアンテナにより送信された信号を受信するように構成され、
前記ＭＩＭＯアンテナは、接地プレート（１００）と、前記接地プレート（１００）上に配置された少なくとも２つのアンテナモジュールとを有し、
各アンテナモジュールは、クリアランス領域（１１）と、サポート（１２）と、少なくとも２つのブランチ（１３）とを含み、
各ブランチ（１３）は、前記サポート（１２）上に配置され、前記サポート（１２）の、水平面上の部分投影が、前記クリアランス領域（１１）内に収まり、各ブランチ（１３）の、給電点に接続されるように構成された１つの端部の、前記水平面上の投影が、前記クリアランス領域（１１）の外側にあり、末端の、前記水平面上の投影が、前記クリアランス領域（１１）の内側にある、
端末。
【発明の詳細な説明】
【技術分野】
【０００１】
本出願は、２０１５年１２月２９日に中国特許庁宛に出願された、「アンテナモジュール、ＭＩＭＯアンテナ、および端末」と題する中国特許出願第２０１５１１０２０４３９．１号に基づく優先権を主張し、当該出願は、その全体を参照することによって本明細書に組み込まれている。
【０００２】
本出願は、通信技術の分野に関し、特に、アンテナモジュール、多入力多出力（ＭＩＭＯ、Ｍｕｌｔｉｐｌｅ−Ｉｎｐｕｔ  Ｍｕｌｔｉｐｌｅ−Ｏｕｔｐｕｔ）アンテナ、および端末に関する。
【背景技術】
【０００３】
現在、シャノン容量の制限に起因して、従来の単入力単出力（ＳＩＳＯ、ｓｉｎｇｌｅ  ｉｎｐｕｔ  ｓｉｎｇｌｅ  ｏｕｔｐｕｔ）アンテナシステムは、新世代の無線通信システムの大きい容量、高速、および高信頼性の要求を満たすことができない。スペクトルリソースが制限されているという客観的な事実を考慮すると、どのようにより高いスペクトル利用率を達成するかが、現在の無線通信分野における新たな技術の開発において緊急に解決される必要がある課題となっている。多入力多出力（ＭＩＭＯ、Ｍｕｌｔｉｐｌｅ−Ｉｎｐｕｔ  Ｍｕｌｔｉｐｌｅ−Ｏｕｔｐｕｔ）アンテナシステムにおいて、通信リンクが複数の並行サブチャネルに効果的に分割され得て、それにより、チャネル容量を大幅に向上させ、シャノン定理の制限を除去し、信頼性を大幅に向上させる。
【０００４】
しかしながら、多入力多出力（ＭＩＭＯ、Ｍｕｌｔｉｐｌｅ−Ｉｎｐｕｔ  Ｍｕｌｔｉｐｌｅ−Ｏｕｔｐｕｔ）アンテナシステムが基地局に適用される場合、基地局の利用可能な空間が比較的大きいので、多重アンテナ技術が容易に適用され得る。ますます小型化された端末デバイスに対して、複数のアンテナを小さい空間に集中する必要があり、良好な性能を達成するために、アンテナモジュールが十分に分離されることが必要であり、かつアンテナモジュールに対して低い相関係数が要求されている。加えて、現在、世界的な規模において、異なる応用を満たすために複数の基準が存在し、これらの基準は、異なる帯域をカバーする。従って、アンテナシステムは、複数の帯域において動作できることが必要である。ハンドヘルドされたデバイス（携帯電話など）における空間が非常に制限されており、ＭＩＭＯアンテナを形成するアンテナモジュールの間の距離が非常に短い。その結果、これらの要求を満たし、良好な性能を有するＭＩＭＯアンテナシステムの設計が非常に困難である。
【発明の概要】
【０００５】
本出願の主な目的が、アンテナモジュール、ＭＩＭＯアンテナ、および端末を提供することである。アンテナモジュールは、複数の帯域において動作し得て、アンテナモジュールの小型化が実現され得る。アンテナモジュールがＭＩＭＯアンテナに適用される場合、ＭＩＭＯアンテナのサイズが低減され得る。ＭＩＭＯアンテナが端末に適用される場合、端末の小型化に対する設計要求は満たされ得る。
【０００６】
上記の目的を達成するために、以下の技術的解決手段が本出願において用いられる。
【０００７】
第１の態様によれば、本出願の実施形態は、アンテナモジュールを提供する。アンテナモジュールは、クリアランス領域と、サポートと、少なくとも２つのブランチとを備え、各ブランチは、サポート上に配置され、サポートの、水平面上の部分投影がクリアランス領域内に収まり、各ブランチの、給電点に接続されるように構成された１つの端部の、水平面上の投影がクリアランス領域の外側にあり、末端の、水平面上の投影がクリアランス領域の内側にあり、ここで、各ブランチが給電ブランチである場合、給電ブランチの１つの端部が給電点に接続され、１つの端部が接地され、１つの端部が開回路であり、開回路である端部は、末端と称され、末端は、クリアランス領域の内側に配置されて共振を完了させ、これにより、ブランチ上の表面電流が可能な限り多くクリアランス領域の縁部上に集中し、接地プレート上に分配される電流が低減される。
【０００８】
少なくとも２つのブランチのそれぞれの、給電点に接続されるように構成された端部はクリアランス領域の外側に配置され、末端はクリアランス領域の内側に配置され、これにより、クリアランス領域の空間が適切に用いられ得て、クリアランス領域のサイズが低減され得て、それにより、アンテナモジュールの小型化を実現する。加えて、少なくとも２つのブランチは異なる帯域において共振し得て、これにより、アンテナモジュールは、複数の帯域において動作し得る。
【０００９】
第１の態様に関連して、第１の態様の第１の可能な実装方式において、クリアランス領域は、互いに隣接する第１の側縁部および第２の側縁部と、第１の側縁部および第２の側縁部にそれぞれ対向する第３の側縁部および第４の側縁部とを有し、サポートは、互いに隣接する第１の側面および第２の側面と、第１の側面および第２の側面にそれぞれ対向して配置される第３の側面および第４の側面とを有し、サポートの第２の側面の、水平面上の投影が、クリアランス領域の第２の側縁部の直線上に収まり、かつクリアランス領域の第２の側縁部の少なくとも一部と重なり、サポートの、水平面上の投影と、クリアランス領域の第３の側縁部および第４の側縁部のそれぞれとの間の距離が０ｍｍ〜５ｍｍの範囲内にある任意の値であり、サポートの第１の側面はクリアランス領域の外側にある。
【００１０】
クリアランス領域およびサポートは、上記の位置関係に配置され、これにより、クリアランス領域のサイズは、最も大きい程度で低減され得て、それにより、アンテナモジュールのサイズを最も大きい程度で低減する。加えて、サポートの、水平面上の投影と、クリアランス領域の第３の側縁部および第４の側縁部のそれぞれとの間の距離が０ｍｍ〜５ｍｍであることは、水平面上に投影されたサポートの第３の側面の、水平面上の投影とクリアランス領域の第３の側縁部との間の距離、および水平面上に投影されたサポートの第４の側面の、水平面上の投影とクリアランス領域の第４の側縁部との間の距離が０ｍｍ〜５ｍｍの範囲内にある任意の値であることを意味する。より長い距離は、ブランチ上の表面電流がクリアランス領域の縁部上により効果的に集中し得ることを示し、より短い距離は、クリアランス領域のサイズがより効果的に低減され得ることを示す。
【００１１】
第１の態様の第１の可能な実装方式に関連して、第１の態様の第２の可能な実装方式において、少なくとも２つのブランチは、第１の給電ブランチおよび第２の給電ブランチを有し、アンテナモジュールはさらに、給電点および接地点を備え、第１の給電ブランチの、給電点に接続されるように構成された１つの端部が、サポートの第１の側面上に配置され、かつサポートの第１の側面に沿ってサポートの第２の側面へ延伸し、接地点は、サポートの第１の側面上の第１の給電ブランチに接続される。第２の給電ブランチの、給電点に接続されるように構成された１つの端部が、サポートの第１の側面上の第１の給電ブランチに接続され、かつサポートの第１の側面に沿ってサポートの上面へ延伸する。第１の給電ブランチの長さが第１の予め設定した帯域に対応する波長の１／４であり、第２の給電ブランチの長さが第２の予め設定した帯域に対応する波長の１／８である。
【００１２】
２つの給電ブランチはサポート上に配置され、２つの給電ブランチの位置および長さが調整され、これにより、アンテナモジュールは、第１の予め設定した帯域および第２の予め設定した帯域において動作する。加えて、２つの給電ブランチとクリアランス領域との間の相対的位置関係により、２つの給電ブランチ上の表面電流はクリアランス領域の縁部上に集中し、接地プレート上に分配される電流は低減され得て、それにより、アンテナモジュールの間の電流結合を低減する。
【００１３】
第１の態様の第２の可能な実装方式に関連して、第１の態様の第３の可能な実装方式において、少なくとも２つのブランチはさらに、寄生ブランチを有し、寄生ブランチは、クリアランス領域の内側に配置され、寄生ブランチの１つの端部がクリアランス領域の第１の側縁部に接続され、寄生ブランチの長さが第３の予め設定した帯域に対応する波長の１／１０である。
【００１４】
寄生ブランチが追加され、寄生ブランチの位置および長さが調整され、これにより、寄生ブランチは、第３の予め設定した帯域において共振し、アンテナモジュールは、３つの帯域において動作し、それにより、アンテナモジュールの性能を向上させる。加えて、３つのブランチとクリアランス領域との間の対応位置関係により、アンテナモジュールがＭＩＭＯアンテナに適用される場合、各給電ブランチ上の表面電流はクリアランス領域の縁部上に集中し、接地プレート上に分配される電流は低減され得て、それにより、アンテナモジュールの間の電流結合を低減する。
【００１５】
第１の態様に関連して、第１の態様の第４の可能な実装方式において、クリアランス領域は、互いに直交する第１の領域および第２の領域を有し、第１の領域は、互いに隣接する側縁部Ｉおよび側縁部ＩＩと、側縁部Ｉおよび側縁部ＩＩにそれぞれ対向して配置された側縁部ＩＩＩおよび側縁部ＩＶとを含み、第２の領域は、第１の領域の側縁部ＩＩの長さ方向に沿って延出する構造であり、サポートは、互いに隣接する第１の側面および第２の側面と、第１の側面および第２の側面にそれぞれ対向する第３の側面および第４の側面とを有し、サポートの第３の側面の、水平面上の投影が第１の領域の側縁部Ｉと重なり、サポートの第２の側面の、水平面上の投影が、第１の領域の側縁部ＩＶの直線上に収まり、かつ第１の領域の側縁部ＩＶの一部と重なり、サポートの、水平面上の投影と、第１の領域の側縁部ＩＩおよび第２の領域の第１の領域から遠く離れた側縁部のそれぞれとの間の距離が０ｍｍ〜５ｍｍの範囲内にある任意の値であり、サポートの第１の側面の、水平面上の部分投影がクリアランス領域の外側にある。
【００１６】
クリアランス領域およびサポートは、上記の位置関係に配置され、これにより、クリアランス領域のサイズは最も大きい程度で低減され得て、それにより、アンテナモジュールのサイズを最も大きい程度で低減する。加えて、サポートの、水平面上に投影される第４の側面と、第１の領域の側縁部ＩＩとの間の距離が０ｍｍ〜５ｍｍの範囲内にある任意の値であることは、サポートの第１の側面上のいくつかの領域と、第２の領域の、第１の領域から遠く離れた側縁部との間の距離が０ｍｍ〜５ｍｍの範囲内にある任意の値であることを意味する。より長い距離は、ブランチ上の表面電流がクリアランス領域の縁部上により効果的に集中し得ることを示し、より短い距離は、クリアランス領域のサイズがより効果的に低減され得ることを示す。
【００１７】
第１の態様の第４の可能な実装方式に関連して、第１の態様の第５の可能な実装方式において、少なくとも２つのブランチは、給電ブランチＩおよび給電ブランチＩＩを含み、アンテナモジュールはさらに、給電点および接地点を備え、給電ブランチＩの、給電点に接続されるように構成された１つの端部が給電点に接続され、給電ブランチＩの第１の端部は、サポートの第１の側面上に配置され、かつサポートの第１の側面に沿ってサポートの第２の側面へ延伸し、接地点は、サポートの第２の側面上の給電ブランチＩ上に配置され、給電ブランチＩＩの、給電点に接続されるように構成された１つの端部が、サポートの第１の側面上の給電ブランチＩに接続され、かつサポートの第１の側面に沿ってサポートの上面へ延伸し、給電ブランチＩの長さが第１の予め設定した帯域に対応する波長の１／４であり、給電ブランチＩＩの長さが第２の予め設定した帯域に対応する波長の１／８である。
【００１８】
２つの給電ブランチはサポート上に配置され、２つの給電ブランチの位置および長さが調整され、これにより、アンテナモジュールは、第１の予め設定した帯域および第２の予め設定した帯域において動作する。加えて、２つの給電ブランチとクリアランス領域との間の相対的位置関係により、２つの給電ブランチ上の表面電流はクリアランス領域の縁部上に集中し、接地プレート上に分配される電流は低減され得て、それにより、アンテナモジュールの間の電流結合を低減する。
【００１９】
第１の態様の第５の可能な実装方式に関連して、第１の態様の第６の可能な実装方式において、少なくとも２つのブランチはさらに、給電ブランチＩＩＩを含み、給電ブランチＩＩＩの、給電点に接続されるように構成された１つの端部が、サポートの第１の側面上の給電ブランチＩＩに接続され、かつサポートの第１の側面に沿ってサポート第４の側面へ延伸され、給電ブランチＩＩＩの長さが第３の予め設定した帯域に対応する波長の１／１０である。
【００２０】
給電ブランチＩＩＩが追加され、給電ブランチＩＩＩの位置および長さが調整され、これにより、給電ブランチＩＩＩは、第３の予め設定した帯域において共振し、アンテナモジュールは、３つの帯域において動作し、それにより、アンテナモジュールの性能を向上させる。加えて、３つの給電ブランチとクリアランス領域との間の対応位置関係により、アンテナモジュールがＭＩＭＯアンテナに適用される場合、各給電ブランチ上の表面電流はクリアランス領域の縁部に集中し、接地プレート上に分配される電流は低減され得て、それにより、アンテナモジュールの間の電流結合を低減する。
【００２１】
第２の態様によれば、本出願は、ＭＩＭＯアンテナを提供し、当該ＭＩＭＯアンテナは、接地プレートと、接地プレート上に配置された少なくとも２つのアンテナモジュールとを備え、ここで、各アンテナモジュールは、クリアランス領域と、サポートと、少なくとも２つのブランチとを有し、各ブランチは、サポート上に配置され、サポートの、水平面上の部分投影がクリアランス領域内に収まり、各ブランチの、給電点に接続されるように構成された１つの端部の、水平面上の投影がクリアランス領域の外側にあり、末端の、水平面上の投影がクリアランス領域の内側にあり、ここで、各ブランチが給電ブランチである場合、給電ブランチの１つの端部が給電点に接続され、１つの端部が接地され、１つの端部が開回路であり、開回路である端部は、末端と称され、末端は、クリアランス領域の内側に配置され、共振を完了させ、これにより、ブランチ上の表面電流はクリアランス領域の縁部上に可能な限り多く集中し、接地プレート上に分配される電流が低減される。
【００２２】
少なくとも２つのブランチのそれぞれの、給電点に接続されるように構成された端部は、クリアランス領域の外側に配置され、末端は、クリアランス領域の内側に配置され、これにより、クリアランス領域の空間が適切に用いられ得て、クリアランス領域おサイズが低減され得て、それにより、アンテナモジュールの小型化を実現する。加えて、少なくとも２つのブランチは、異なる帯域において共振し得て、これにより、アンテナモジュールは、複数の帯域において動作し得る。
【００２３】
第２の態様に関連して、第２の態様の第１の可能な実装方式において、クリアランス領域は、互いに隣接する第１の側縁部および第２の側縁部と、第１の側縁部および第２の側縁部にそれぞれ対向して配置された第３の側縁部および第４の側縁部とを有し、サポートは、互いに隣接する第１の側面および第２の側面と、第１の側面および第２の側面のそれぞれに対向する第３の側面および第４の側面とを有し、サポートの第２の側面の、水平面上の投影が、クリアランス領域の第２の側縁部の直線上に収まり、かつクリアランス領域の第２の側縁部の少なくとも一部と重なり、サポートの、水平面上の投影と、クリアランス領域の第３の側縁部および第４の側縁部のそれぞれとの間の距離が０ｍｍ〜５ｍｍの範囲内にある任意の値であり、サポートの第１の側面はクリアランス領域の外側にある。
【００２４】
クリアランス領域およびサポートは上記の位置関係に配置され、これにより、クリアランス領域のサイズは最も大きい程度で低減され得て、それにより、アンテナモジュールのサイズを最も大きい程度で低減する。加えて、サポートの、水平面上の投影と、クリアランス領域の第３の側縁部および第４の側縁部のそれぞれとの間の距離が０ｍｍ〜５ｍｍであることは、水平面上に投影されたサポートの第３の側面の、水平面上の投影と、クリアランス領域の第３の側縁部との間の距離、および水平面上に投影されたサポートの第４の側面の、水平面上の投影と、クリアランス領域の第４の側縁部との間の距離が０ｍｍ〜５ｍｍの範囲内にある任意の値であることを意味する。より長い距離は、ブランチ上の表面電流がクリアランス領域の縁部上により効果的に集中し得ることを示し、より短い距離は、クリアランス領域のサイズがより効果的に低減され得ることを示す。
【００２５】
第２の態様の第１の可能な実装方式に関連して、第２の態様の第２の可能な実装方式において、少なくとも２つのブランチは、第１の給電ブランチおよび第２の給電ブランチを含み、アンテナモジュールはさらに、給電点および接地点を有し、第１の給電ブランチの、給電点に接続されるように構成された１つの端部が、サポートの第１の側面上に配置され、かつサポートの第１の側面に沿ってサポートの第２の側面へ延伸し、接地点は、サポートの第１の側面上の第１の給電ブランチに接続され、第２の給電ブランチの、給電点に接続されるように構成された１つの端部が、サポートの第１の側面上の第１の給電ブランチに接続され、かつサポートの第１の側面に沿ってサポートの上面へ延伸し、第１の給電ブランチの長さが第１の予め設定した帯域に対応する波長の１／４であり、第２の給電ブランチの長さが第２の予め設定した帯域に対応する波長の１／８である。
【００２６】
２つの給電ブランチはサポート上に配置され、２つの給電ブランチの位置および長さが調整され、これにより、アンテナモジュールは、第１の予め設定した帯域および第２の予め設定した帯域において動作する。加えて、２つの給電ブランチとクリアランス領域との間の相対的位置関係により、２つの給電ブランチ上の表面電流はクリアランス領域の縁部上に集中し、接地プレート上に分配される電流は低減され得て、それにより、アンテナモジュールの間の電流結合を低減する。
【００２７】
第２の態様の第２の可能な実装方式に関連して、第２の態様の第３の可能な実装方式において、少なくとも２つのブランチはさらに、寄生ブランチを含み、寄生ブランチはクリアランス領域の内側に配置され、寄生ブランチの１つの端部がクリアランス領域の第１の側縁部に接続され、寄生ブランチの長さが第３の予め設定した帯域に対応する波長の１／１０である。
【００２８】
寄生ブランチが追加され、寄生ブランチの位置および長さが調整され、これにより、寄生ブランチは、第３の予め設定した帯域において共振し、アンテナモジュールは、３つの帯域において動作し、それにより、アンテナモジュールの性能を向上させる。加えて、３つのブランチとクリアランス領域との間の対応位置関係により、アンテナモジュールがＭＩＭＯアンテナに適用される場合、各給電ブランチ上の表面電流はクリアランス領域の縁部上に集中し、接地プレート上に分配される電流が低減され得て、それにより、アンテナモジュールの間の電流結合を低減する。
【００２９】
第２の態様の第３の実装方式に関連して、第２の態様の第４の実装方式において、少なくとも２つのアンテナモジュールは、第１のアンテナモジュールおよび第２のアンテナモジュールを含み、第１のアンテナモジュールおよび第２のアンテナモジュールは、任意の２つの隣接アンテナモジュールである。第１のアンテナモジュールおよび第２のアンテナモジュールが同じ構造を有し、第１のアンテナモジュールおよび第２のアンテナモジュールが第１の方向および第２の方向において千鳥状に順次配置され、第１のアンテナモジュールの第２の側面が第１の方向と反対の第３の方向に面し、第２のアンテナモジュールの第２の側面が第２の方向に面する場合、２つの隣接アンテナモジュールの給電点の間の距離が、アンテナモジュールによりカバーされる最も低い帯域に対応する波長の１／４より長いかまたはそれに等しく、第１のアンテナモジュールおよび第２のアンテナモジュールが鏡面対称であり、第１のアンテナモジュールおよび第２のアンテナモジュールが第１の方向および第２の方向において千鳥状に順次配置され、第１のアンテナモジュールの第２の側面が第１の方向と反対の第３の方向に面し、第２のアンテナモジュールの第２の側面が第２の方向に面する場合、２つの隣接アンテナモジュールの給電点の間の距離が、アンテナモジュールによりカバーされる最も低い帯域に対応する波長の１／４より長いかまたはそれに等しく、第１のアンテナモジュールおよび第２のアンテナモジュールが鏡面対称であり、逆の給電方向を有する場合、２つの隣接アンテナモジュールの給電点の間の距離が、アンテナモジュールによりカバーされる最も低い帯域に対応する波長の１／８より長いかまたはそれに等しく、第１のアンテナモジュールおよび第２のアンテナモジュールが鏡面対称であり、反対の給電方向を有する場合、２つの隣接アンテナモジュールの給電点の間の距離が、アンテナモジュールによりカバーされる最も低い帯域に対応する波長の１／４より長いかまたはそれに等しいか、または、第１のアンテナモジュールおよび第２のアンテナモジュールが鏡面対称であり、同じ給電方向を有し、２つの隣接アンテナモジュールの第４の側面が互いに対向して配置された場合、２つの隣接アンテナモジュールの給電点の間の距離が、アンテナモジュールによりカバーされる最も低い帯域に対応する波長の１／４より長いかまたはそれに等しい。
【００３０】
任意の２つの隣接アンテナモジュールが上記の方式で配置され、これにより、アンテナモジュールの間の距離が低減され得て、それにより、ＭＩＭＯアンテナのサイズをさらに低減し、ＭＩＭＯアンテナの多帯域性能および高アイソレーション性能を保証する。
【００３１】
第２の態様の第４の可能な実装方式に関連して、第２の態様の第５の可能な実装方式において、２つから８つのアンテナモジュールが存在する。
【００３２】
第２の態様の第５の可能な実装方式に関連して、第２の態様の第６の可能な実装方式において、８つのアンテナモジュールが存在する場合、８つのアンテナモジュールは、第１の囲まれた領域を囲むように順次配置され、各アンテナモジュールの第２の側面は、第１の囲まれた領域の外部に面する。８ユニットのＭＩＭＯアンテナは、そのような方式で配置され、これにより、８ユニットのＭＩＭＯアンテナのサイズが最も大きい程度で低減され得て、それにより、８ユニットのＭＩＭＯアンテナのコンパクト化を向上させる。
【００３３】
第２の態様に関連して、第２の態様の第７の可能な実装方式において、クリアランス領域は、互いに直交する第１の領域および第２の領域を有し、第１の領域は、互いに隣接する側縁部Ｉおよび側縁部ＩＩと、側縁部Ｉおよび側縁部ＩＩにそれぞれ対向して配置される側縁部ＩＩＩおよび側縁部ＩＶとを含み、第２の領域は、第１の領域の側縁部ＩＩの長さ方向に沿って延出する構造であり、サポートは、互いに隣接する第１の側面および第２の側面と、第１の側面および第２の側面にそれぞれ対向する第３の側面および第４の側面とを有し、サポートの第３の側面の、水平面上の投影が第１の領域の側縁部Ｉと重なり、サポートの第２の側面の、水平面上の投影が、第１の領域の側縁部ＩＶの直線上に収まり、かつ第１の領域の側縁部ＩＶの一部と重なり、サポートの、水平面上の投影と、第１の領域の側縁部ＩＩおよび第２の領域の第１の領域から遠く離れた側縁部のそれぞれとの間の距離が０ｍｍ〜５ｍｍの範囲内にある任意の値であり、サポートの第１の側面の、水平面上の部分投影はクリアランス領域の外側にある。
【００３４】
クリアランス領域およびサポートは、上記の位置関係に配置され、これにより、クリアランス領域のサイズが最も大きい程度で低減され得て、それにより、アンテナモジュールのサイズを最も大きい程度で低減する。加えて、サポートの、水平面上に投影される第４の側面と、第１の領域の側縁部ＩＩとの間の距離が０ｍｍ〜５ｍｍの範囲内にある任意の値であることは、サポートの第１の側面上のいくつかの領域と、第２の領域の第１の領域から遠く離れた側縁部との間の距離が０ｍｍ〜５ｍｍの範囲内にある任意の値であることを意味する。より長い距離は、ブランチ上の表面電流がクリアランス領域の縁部上により効果的に集中し得ることを示し、より短い距離は、クリアランス領域のサイズがより効果的に低減され得ることを示す。
【００３５】
第２の態様の第７の可能な実装方式に関連して、第２の態様の第８の可能な実装方式において、少なくとも２つのブランチは、給電ブランチＩおよび給電ブランチＩＩを含み、アンテナモジュールはさらに、給電点および接地点を含み、給電ブランチＩの、給電点接続されるように構成された１つの端部が給電点に接続され、給電ブランチＩの第１の端部が、サポートの第１の側面上に配置され、かつサポートの第１の側面に沿ってサポートの第２の側面へ延伸し、接地点は、サポートの第２の側面上の給電ブランチＩ上に配置され、給電ブランチＩＩの、給電点に接続されるように構成された１つの端部が、サポートの第１の側面上の給電ブランチＩに接続され、かつサポートの第１の側面に沿ってサポートの上面へ延伸し、給電ブランチＩの長さが第１の予め設定した帯域に対応する波長の１／４であり、給電ブランチＩＩの長さが第２の予め設定した帯域に対応する波長の１／８である。
【００３６】
２つの給電ブランチはサポート上に配置され、２つの給電ブランチの位置および長さが調整され、これにより、アンテナモジュールは、第１の予め設定した帯域および第２の予め設定した帯域において動作する。加えて、２つの給電ブランチとクリアランス領域との間の相対的位置関係により、２つの給電ブランチ上の表面電流はクリアランス領域の縁部上に集中し、接地プレート上に分配される電流は低減され得て、それにより、アンテナモジュールの間の電流結合を低減する。
【００３７】
第２の態様の第８の可能な実装方式に関連して、第２の態様の第９の可能な実装方式において、少なくとも２つのブランチはさらに、給電ブランチＩＩＩを含み、給電ブランチＩＩＩの、給電点に接続されるように構成された１つの端部が、サポートの第１の側面上の給電ブランチＩＩに接続され、かつサポートの第１の側面に沿ってサポートの第４の側面へ延伸し、給電ブランチＩＩＩの長さが第３の予め設定した帯域に対応する波長の１／１０である。
【００３８】
給電ブランチＩＩＩが追加され、給電ブランチＩＩＩの位置および長さが調整され、これにより、給電ブランチＩＩＩは、第３の予め設定した帯域において共振し、アンテナモジュールは、３つの帯域において動作し、それにより、アンテナモジュールの性能を向上させる。加えて、３つの給電ブランチとクリアランス領域との間の対応位置関係により、アンテナモジュールがＭＩＭＯアンテナに適用される場合、各給電ブランチ上の表面電流はクリアランス領域の縁部上に集中し、接地プレート上に分配される電流は低減され得て、それにより、アンテナモジュールの間の電流結合を低減する。
【００３９】
第２の態様の第９の可能な実装方式に関連して、第２の態様の第１０の可能な実装方式において、少なくとも２つのアンテナモジュールは、第３のアンテナモジュールおよび第４のアンテナモジュールを含み、第３のアンテナモジュールおよび第４のアンテナモジュールは、任意の２つの隣接アンテナモジュールである。第３のアンテナモジュールおよび第４のアンテナモジュールが同じ構造を有し、互いに直交して配置され、第３のアンテナモジュールおよび第４のアンテナモジュールが第２の方向と反対の第４の方向に沿って順次配置され、第３のアンテナモジュールの第１の側面が第４のアンテナモジュールの第４の側面に対向する場合、２つの隣接アンテナモジュールの給電点の間の距離が、アンテナモジュールによりカバーされる最も低い帯域に対応する波長の１／８より長いかまたはそれに等しく、第３のアンテナモジュールおよび第４のアンテナモジュールが同じ構造を有し、第４の方向に垂直な第１の方向に沿って順次配置され、第３のアンテナモジュールの第４の側面が第４のアンテナモジュールの第１の側面または第２の側面に対向する場合、２つの隣接アンテナモジュールの給電点の間の距離が、アンテナモジュールによりカバーされる最も低い帯域に対応する波長の１／４より長いかまたはそれに等しく、第３のアンテナモジュールおよび第４のアンテナモジュールが同じ構造を有し、逆の給電方向を有し、第４の方向に沿って順次配置された場合、２つの隣接アンテナモジュールの給電点の間の距離が、アンテナモジュールによりカバーされる最も低い帯域に対応する波長の１／４より長いかまたはそれに等しく、第３のアンテナモジュールおよび第４のアンテナモジュールが鏡面対称であり、互いに直交して配置され、第４の方向に沿って順次配置され、第３のアンテナモジュールの第２の側面が第４のアンテナモジュールの第１の側面に対向する場合、２つの隣接アンテナモジュールの給電点の間の距離が、アンテナモジュールによりカバーされる最も低い帯域に対応する波長の１／８より長いかまたはそれに等しいか、または、第３のアンテナモジュールおよび第４のアンテナモジュールが鏡面対称であり、第１の方向に沿って順次配置され、第３のアンテナモジュールの第４の側面が第４のアンテナモジュールの第３の側面または第４の側面に対向する場合、２つの隣接アンテナモジュールの給電点の間の距離が、アンテナモジュールによりカバーされる最も低い帯域に対応する波長の１／４より長いかまたはそれに等しい。
【００４０】
任意の２つの隣接アンテナモジュールが上記の方式で配置され、これにより、アンテナモジュールの間の距離が低減され得て、それにより、ＭＩＭＯアンテナのサイズをさらに低減し、ＭＩＭＯアンテナの多帯域性能および高アイソレーション性能を保証する。
【００４１】
第２の態様の第１０の可能な実装方式に関連して、第２の態様の第１１の可能な実装方式において、２つから８つのアンテナモジュールが存在する。
【００４２】
第２の態様の第１１の可能な実装方式に関連して、第２の態様の第１２の可能な実装方式において、８つのアンテナモジュールが存在する場合、８つのアンテナモジュールは、第２の囲まれた領域を囲むように順次配置され、各アンテナモジュールの第２の側面または第３の側面は、第２の囲まれた領域の外部に面する。８ユニットのＭＩＭＯアンテナは、そのような方式で配置され、これにより、８ユニットのＭＩＭＯアンテナのサイズは最も大きい程度で低減され得て、それにより、８ユニットのＭＩＭＯアンテナのコンパクト化を向上させる。
【００４３】
第３の態様によれば、本出願の実施形態は、端末を提供し、当該端末は、ＭＩＭＯアンテナと、プリント回路基板上に配置された無線周波数端部を備え、ここで、ＭＩＭＯアンテナの各給電点が無線周波数端部に接続され、無線周波数端部は、信号をＭＩＭＯアンテナへ送信するか、またはＭＩＭＯアンテナにより送信された信号を受信するように構成され、ＭＩＭＯアンテナは、接地プレートと、接地プレート上に配置された少なくとも２つのアンテナモジュールとを有し、各アンテナモジュールは、クリアランス領域と、サポートと、少なくとも２つのブランチとを含み、各ブランチはサポート上に配置され、サポートの、水平面上の部分投影がクリアランス領域内に収まり、各ブランチの、給電点に接続されるように構成された１つの端部の、水平面上の投影がクリアランス領域の外側にあり、末端の、水平面上の投影がクリアランス領域の内側にある。
【００４４】
比較的小型のアンテナモジュールは、ＭＩＭＯアンテナに適用され、これにより、ＭＩＭＯアンテナのサイズが低減され得る。ＭＩＭＯアンテナが端末に適用される場合、端末のサイズが低減され得て、端末の小型化に対する要求を満たすことができる。
【００４５】
第３の態様に関連して、第３の態様の第１の可能な実装方式において、クリアランス領域は、互いに隣接する第１の側縁部および第２の側縁部と、第１の側縁部および第２の側縁部にそれぞれ対向して配置される第３の側縁部および第４の側縁部とを含み、サポートは、互いに隣接する第１の側面および第２の側面と、第１の側面および第２の側面にそれぞれ対向する第３の側面および第４の側面とを含み、サポートの第２の側面の、水平面上の投影が、クリアランス領域の第２の側縁部の直線上に収まり、かつクリアランス領域の第２の側縁部の少なくとも一部と重なり、サポートの、水平面上の投影と、クリアランス領域の第３の側縁部および第４の側縁部のそれぞれとの間の距離が０ｍｍ〜５ｍｍの範囲内にある任意の値であり、サポートの第１の側面はクリアランス領域の外側にある。
【００４６】
クリアランス領域およびサポートは、上記の位置関係に配置され、これにより、クリアランス領域のサイズは最も大きい程度で低減され得て、それにより、アンテナモジュールのサイズを最も大きい程度で低減する。加えて、サポートの、水平面上の投影と、クリアランス領域の第３の側縁部および第４の側縁部のそれぞれとの間の距離が０ｍｍ〜５ｍｍであることは、水平面上に投影されるサポートの第３の側面の、水平面上の投影と、クリアランス領域の第３の側縁部との間の距離、および水平面上に投影されたサポートの第４の側面の、水平面上の投影と、クリアランス領域の第４の側縁部との間の距離が０ｍｍ〜５ｍｍの範囲内にある任意の値であることを意味する。より長い距離は、ブランチ上の表面電流がクリアランス領域の縁部上により効果的に集中し得ることを示し、より短い距離は、クリアランス領域のサイズがより効果的に低減され得ることを示す。
【００４７】
第３の態様の第１の可能な実装方式に関連して、第３の態様の第２の可能な実装方式において、少なくとも２つのブランチは、第１の給電ブランチおよび第２の給電ブランチを含み、アンテナモジュールはさらに、給電点および接地点を含み、第１の給電ブランチの、給電点に接続されるように構成された１つの端部が、サポートの第１の側面上に配置され、かつサポートの第１の側面に沿ってサポートの第２の側面へ延伸し、接地点は、サポートの第１の側面上の第１の給電ブランチに接続され、第２の給電ブランチの、給電点に接続されるように構成された１つの端部が、サポートの第１の側面上の第１の給電ブランチに接続され、かつサポートの第１の側面に沿ってサポートの上面へ延伸し、第１の給電ブランチの長さが第１の予め設定した帯域に対応する波長の１／４であり、第２の給電ブランチの長さが第２の予め設定した帯域に対応する波長の１／８である。
【００４８】
２つの給電ブランチはサポート上に配置され、２つの給電ブランチの位置および長さが調整され、これにより、アンテナモジュールは、第１の予め設定した帯域および第２の予め設定した帯域において動作する。加えて、２つの給電ブランチとクリアランス領域との間の相対的位置関係により、２つの給電ブランチ上の表面電流はクリアランス領域の縁部上に集中し、接地プレート上に分配される電流は低減され得て、それにより、アンテナモジュールの間の電流結合を低減する。
【００４９】
第３の態様の第２の可能な実装方式に関連して、第３の態様の第３の可能な実装方式において、少なくとも２つのブランチはさらに、寄生ブランチを含み、寄生ブランチは、クリアランス領域の内側に配置され、寄生ブランチの１つの端部がクリアランス領域の第１の側縁部に接続され、寄生ブランチの長さが第３の予め設定した帯域に対応する波長の１／１０である。
【００５０】
寄生ブランチが追加され、寄生ブランチの位置および長さが調整され、これにより、寄生ブランチは、第３の予め設定した帯域において共振し、アンテナモジュールは、３つの帯域において動作し、それにより、アンテナモジュールの性能を向上させる。加えて、３つのブランチとクリアランス領域との間の対応位置関係により、アンテナモジュールがＭＩＭＯアンテナに適用される場合、各給電ブランチの表面電流はクリアランス領域の縁部上に集中し、接地プレート上に分配される電流は低減され得て、それにより、アンテナモジュールの間の電流結合を低減する。
【００５１】
第３の態様に関連して、第３の態様の第４の可能な実装方式において、クリアランス領域は、互いに直交する第１の領域および第２の領域を含み、第１の領域は、互いに隣接する側縁部Ｉおよび側縁部ＩＩと、側縁部Ｉおよび側縁部ＩＩにそれぞれ対向して配置された側縁部ＩＩＩおよび側縁部ＩＶとを含み、第２の領域は、第１の領域の側縁部ＩＩの長さ方向に沿って延出する構造であり、サポートは、互いに隣接する第１の側面および第２の側面と、第１の側面および第２の側面にそれぞれ対向する第３の側面および第４の側面とを含み、サポートの第３の側面の水平面上の投影が第１の領域の側縁部Ｉと重なり、サポートの第２の側面の、水平面上の投影が、第１の領域の側縁部ＩＶの直線上に収まり、かつ第１の領域の側縁部ＩＶの一部と重なり、サポートの、水平面上の投影と、第１の領域の側縁部ＩＩおよび第２の領域の第１の領域から遠く離れた側縁部のそれぞれとの間の距離が０ｍｍ〜５ｍｍの範囲内にある任意の値であり、サポートの第１の側面の、水平面上の部分投影がクリアランス領域の外側にある。
【００５２】
クリアランス領域およびサポートは、上記の位置関係に配置され、これにより、クリアランス領域のサイズは最も大きい程度で低減され得て、それにより、アンテナモジュールのサイズを最も大きい程度で低減する。加えて、サポートの、水平面上に投影された第４の側面と、第１の領域の側縁部ＩＩとの間の距離が０ｍｍ〜５ｍｍの範囲内にある任意の値であることは、サポートの第１の側面上のいくつかの領域と、第２の領域の第１の領域から遠く離れた側縁部との間の距離が０ｍｍ〜５ｍｍの範囲内にある任意の値であることを意味する。より長い距離は、ブランチ上の表面電流がクリアランス領域の縁部上により効果的に集中し得ることを示し、より短い距離は、クリアランス領域のサイズがより効果的に低減され得ることを示す。
【００５３】
第３の態様の第４の可能な実装方式に関連して、第３の態様の第５の可能な実装方式において、少なくとも２つのブランチは、給電ブランチＩおよび給電ブランチＩＩを含み、アンテナモジュールはさらに、給電点および接地点を含み、給電ブランチＩの、給電点に接続されるように構成された１つの端部が給電点に接続され、給電ブランチＩの第１の端部が、サポートの第１の側面上に配置され、かつサポートの第１の側面に沿ってサポートの第２の側面へ延伸し、接地点はサポートの第２の側面上の給電ブランチＩ上に配置され、給電ブランチＩＩの、給電点に接続されるように構成された１つの端部が、サポートの第１の側面上の給電ブランチＩに接続され、かつサポートの第１の側面に沿ってサポートの上面へ延伸し、給電ブランチＩの長さが第１の予め設定した帯域に対応する波長の１／４であり、給電ブランチＩＩの長さが第２の予め設定した帯域に対応する波長の１／８である。
【００５４】
２つの給電ブランチはサポート上に配置され、２つの給電ブランチの位置および長さが調整され、これにより、アンテナモジュールは、第１の予め設定した帯域および第２の予め設定した帯域において動作する。加えて、２つの給電ブランチとクリアランス領域との間の相対的位置関係により、２つの給電ブランチ上の表面電流はクリアランス領域の縁部上に集中し、接地プレート上に分配された電流は低減され得て、それにより、アンテナモジュールの間の電流結合を低減する。
【００５５】
第３の態様の第５の可能な実装方式に関連して、第３の態様の第６の可能な実装方式において、少なくとも２つのブランチはさらに、給電ブランチＩＩＩを含み、給電ブランチＩＩＩの、給電点に接続されるように構成された１つの端部が、サポートの第１の側面上の給電ブランチＩＩに接続され、かつサポートの第１の側面に沿ってサポートの第４の側面へ延伸し、給電ブランチＩＩＩの長さが第３の予め設定した帯域に対応する波長の１／１０である。
【００５６】
給電ブランチＩＩＩが追加され、給電ブランチＩＩＩの位置および長さが調整され、これにより、給電ブランチＩＩＩは、第３の予め設定した帯域において共振し、アンテナモジュールは、３つの帯域において動作し、それにより、アンテナモジュールの性能を向上させる。加えて、３つの給電ブランチとクリアランス領域との間の対応位置関係により、アンテナモジュールがＭＩＭＯアンテナに適用される場合、各給電ブランチ上の表面電流はクリアランス領域の縁部上に集中し、接地プレート上に分配される電流は低減され得て、それにより、アンテナモジュールの間の電流結合を低減する。
【００５７】
本出願の実施形態は、アンテナモジュールと、ＭＩＭＯアンテナと、端末とを提供する。少なくとも２つのブランチはサポート上に配置され、サポートはクリアランス領域上に配置され、これにより、サポートの、水平面上の部分投影がクリアランス領域の内側にあり、少なくとも２つのブランチのそれぞれの、給電点に接続された端部の、水平面上の投影がクリアランス領域の外側にあり、末端の、水平面上お投影がクリアランス領域の内側にある。このように、クリアランス領域の空間が適切に用いられ得て、クリアランス領域のサイズが低減され得て、それにより、アンテナモジュールの小型化を実現する。さらに、ブランチの末端は、クリアランス領域の内側に配置され、共振を完了させ、これにより、ブランチ上の表面電流はクリアランス領域の縁部上に可能な限り多く集中し、接地プレート上に分配される電流は低減される。加えて、少なくとも２つのブランチは、異なる帯域において共振し得て、これにより、アンテナモジュールは、複数の帯域において動作し得る。従って、アンテナモジュールは複数の周波数において動作し得て、アンテナモジュールのサイズは低減され得て、それにより、アンテナモジュールの小型化を実現する。アンテナモジュールがＭＩＭＯアンテナに適用される場合、ＭＩＭＯアンテナのサイズは低減され得る。ＭＩＭＯアンテナが端末に適用される場合、端末の小型化に対する設計要求を満たすことができる。
【図面の簡単な説明】
【００５８】
本出願の実施形態における、または従来技術における技術的解決手段をより明確に説明するために、以下では、実施形態を説明するために必要とされる添付図面を簡潔に説明する。明らかに、以下の説明における添付図面は単に、本出願のいくつかの実施形態であり、当業者は、創造努力なしでこれらの添付図面から他の図面をさらに導き出し得る。
【００５９】
【図１】本出願の一実施形態に係るアンテナモジュールの概略構造図である。
【００６０】
【図２】本出願の一実施形態に係る別のアンテナモジュールの概略構造図である。
【００６１】
【図３】本出願の一実施形態に係る、図２に基づく第１の給電ブランチおよび第２の給電ブランチがサポート上に配置されたことを示す概略構造図である。
【００６２】
【図４】本出願の一実施形態に係る、図３に基づいて寄生ブランチが追加されたことを示す概略構造図である。
【００６３】
【図５】本出願の一実施形態に係る、図３において示されているアンテナモジュールにおける第１の給電ブランチおよび第２の給電ブランチの概略構造展開図である。
【００６４】
【図６】本出願の一実施形態に係る、図４において示されているアンテナモジュールにおけるクリアランス領域および寄生ブランチの概略構造図である。
【００６５】
【図７】本出願の一実施形態に係るさらに別のアンテナモジュールの概略構造図である。
【００６６】
【図８】本出願の一実施形態に係る、図７において示されているアンテナモジュールにおけるクリアランス領域の概略構造図である。
【００６７】
【図９】本出願の一実施形態に係る、図７に基づく給電ブランチＩおよび給電ブランチＩＩがサポート上に配置されたことを示す概略構造図である。
【００６８】
【図１０】本出願の一実施形態に係る、図９に基づいて給電ブランチＩＩＩが追加されたことを示す概略構造図である。
【００６９】
【図１１】本出願の一実施形態に係る、図９において示されている給電ブランチＩおよび給電ブランチＩＩの概略構造展開図である。
【００７０】
【図１２】本出願の一実施形態に係る、図１０において示されている給電ブランチＩ、給電ブランチＩＩ、および給電ブランチＩＩＩの概略構造展開図である。
【００７１】
【図１３】本出願の一実施形態に係る、図４において示されている任意の２つのアンテナモジュールの配置方式の概略図である。
【００７２】
【図１４】本出願の一実施形態に係る、図４において示されている任意の２つのアンテナモジュールの別の配置方式の概略図である。
【００７３】
【図１５】本出願の一実施形態に係る、図４において示されている任意の２つのアンテナモジュールの別の配置方式の概略図である。
【００７４】
【図１６】本出願の一実施形態に係る、図４において示されている任意の２つのアンテナモジュールの別の配置方式の概略図である。
【００７５】
【図１７】本出願の一実施形態に係る、図４において示されている８つのアンテナモジュールの配置方式の概略図である。
【００７６】
【図１８】本出願の一実施形態に係る、図１０において示されている任意の２つのアンテナモジュールの配置方式の概略図である。
【００７７】
【図１９】本出願の一実施形態に係る、図１０において示されている任意の２つのアンテナモジュールの別の配置方式の概略図である。
【００７８】
【図２０】本出願の一実施形態に係る、図１０において示されている任意の２つのアンテナモジュールの別の配置方式の概略図である。
【００７９】
【図２１】本出願の一実施形態に係る、図１０において示されている任意の２つのアンテナモジュールの別の配置方式の概略図である。
【００８０】
【図２２】本出願の一実施形態に係る、図１０において示されている任意の２つのアンテナモジュールのさらに別の配置方式の概略図である。
【００８１】
【図２３】本出願の一実施形態に係る、図１０において示されている８つのアンテナモジュールの配置方式の概略図である。
【００８２】
【図２４】本出願の一実施形態に係る、図１７に基づく第１のアンテナモジュール１および第２のアンテナモジュール２のリターン損失の適合曲線図である。
【００８３】
【図２５】本出願の一実施形態に係る、図１７に基づく第１のアンテナモジュール１および各アンテナモジュールの間のアイソレーションの曲線図である。
【００８４】
【図２６ａ】本出願の一実施形態に係る、図１７に基づく第１のアンテナモジュール１のアンテナ放射パターンである。
【００８５】
【図２６ｂ】本出願の一実施形態に係る、図１７に基づく第２のアンテナモジュール２のアンテナ放射パターンである。
【００８６】
【図２７】本出願の一実施形態に係る、図２３に基づく第１のアンテナモジュール１から第４のアンテナモジュール４のリターン損失の適合曲線図である。
【００８７】
【図２８】本出願の一実施形態に係る、図２３に基づく第１のアンテナモジュール１および各アンテナモジュールの間のアイソレーションの曲線図である。
【００８８】
【図２９ａ】本出願の一実施形態に係る、図２３に基づく第１のアンテナモジュール１のアンテナ放射パターンである。
【００８９】
【図２９ｂ】本出願の一実施形態に係る図２３に基づく第３のアンテナモジュール３のアンテナ放射パターンである。
【００９０】
【図２９ｃ】本出願の一実施形態に係る、図２３に基づく第２のアンテナモジュール２のアンテナ放射パターンである。
【００９１】
【図３０】本出願の一実施形態に係る、図１７、図２３、および従来技術に基づく、実際のチャネル環境における８ユニットのＭＩＭＯアンテナのスペクトル効率の比較曲線図である。
【発明を実施するための形態】
【００９２】
以下では、本出願の実施形態における添付図面を参照して本出願の実施形態における技術的解決手段を明確に、かつ十分に説明する。明らかに、説明される実施形態は、本出願のいくつかの実施形態に過ぎず、全てではない。当業者により、創造努力なく、本出願の実施形態に基づいて得られる他の全ての実施形態は、本出願の保護範囲内に含まれるものとする。
【００９３】
本出願の説明において、「中心」、「上」、「下」、「前」、「後ろ」、「左」、「右」、「鉛直」、「水平」、「頂部」、「底部」、「内側」、および「外側」などの用語により示される指向性または位置関係は、添付図面に基づいて示される指向性または位置関係であり、装置または素子が特定の指向性を有しなければならないこと、または特定の指向性において構成または操作されなければならないことを示すまたは暗示するものではなく、本出願の説明を容易にするために、かつ説明の簡略化を容易にするために用いられるに過ぎず、従って、本出願に対する限定として解釈できないことが理解されるべきである。本出願の説明において、別途記載されない限り、「複数の」は、２つまたは２つより多いことを意味する。
【００９４】
本発明の実施形態において提供される移動端末は、図１および図２において示されている本発明の実施形態において実装される方法を実装するように構成されてよい。説明を容易にするために、本発明の実施形態に関する一部分のみが示され、開示されていない具体的な技術的詳細内容については、図１および図２において示されている本発明の実施形態を参照されたい。
【００９５】
本出願において提供されるアンテナモジュールは、様々な移動端末に適用され得る。移動端末は、携帯電話、タブレットコンピュータ、ノートブックコンピュータ、ＵＭＰＣ（Ｕｌｔｒａ−ｍｏｂｉｌｅ  Ｐｅｒｓｏｎａｌ  Ｃｏｍｐｕｔｅｒ、ウルトラモバイルパーソナルコンピュータ）、ネットブック、またはＰＤＡ（Ｐｅｒｓｏｎａｌ  Ｄｉｇｉｔａｌ  Ａｓｓｉｓｔａｎｔ、パーソナルデジタルアシスタント）などの端末デバイスであってよい。本出願の実施形態において、移動端末が携帯電話である例を説明のために用いる。
【００９６】
本出願において提供されるアンテナモジュールは、比較的小さいサイズを有する。アンテナモジュールがＭＩＭＯアンテナに適用される場合、ＭＩＭＯアンテナのサイズが低減され得て、アンテナモジュールの特定の構造により、アンテナモジュールがＭＩＭＯアンテナに適用される場合、アンテナモジュールは、アンテナモジュールの間の距離が低減されたとき、正常に動作し得て、これは、低結合および高アイソレーションとして表され、これにより、ＭＩＭＯアンテナのサイズはさらに低減され得て、それにより、携帯電話などの小型の端末に対する要求を満たす。加えて、携帯電話などの端末のサイズが固定された場合、アンテナモジュールの数量が増加され得る。従って、端末の通信性能は、ＭＩＭＯアンテナのスループットレートが比較的高いという特徴を用いることによって、向上し得る。
【００９７】
第１の態様によれば、本出願の実施形態は、アンテナモジュールを提供する。図１を参照すると、アンテナモジュールは、クリアランス領域１１と、サポート１２と、少なくとも２つのブランチ１３とを備える。
【００９８】
各ブランチ１３は、サポート１２上に配置される。サポート１２の、水平面上の部分投影が、クリアランス領域１１内に収まる。各ブランチ１３の、給電点に接続されるように構成された１つの端部（不図示）の、水平面上の投影がクリアランス領域１１の外側にあり、末端（不図示）の、水平面上の投影がクリアランス領域１１の内側にある。
【００９９】
実際の適用中に、ブランチ１３は通常、２つより多くの端部を有することが留意されたい。例えば、ブランチ１３が給電ブランチである場合、給電ブランチは通常、給電点に接続される１つの端部と、接地点に接続される１つの端部と、共振する自由端とを含む。従って、本出願のこの実施形態において、共振する自由端は、末端と称される。
【０１００】
本出願のこの実施形態は、アンテナモジュールを提供する。少なくとも２つのブランチ１３はサポート１２上に配置され、サポート１２はクリアランス領域１１上に配置され、これにより、サポート１２の、水平面上の部分投影がクリアランス領域１１の内側にあり、少なくとも２つのブランチ１３のそれぞれの、給電点に接続された端部の、水平面上の投影がクリアランス領域１１の外側にあり、末端の、水平面上の投影がクリアランス領域１１の内側にある。このように、クリアランス領域が適切に用いられ得て、クリアランス領域のサイズが低減され得て、それにより、アンテナモジュールの小型化を実現する。さらに、ブランチ１３の末端は、クリアランス領域１１の内側に配置され、共振を完了させ、これにより、ブランチ１３上の表面電流は、クリアランス領域１１の縁部上に可能な限り多く集中し、接地プレート上に分配される電流が低減される。加えて、少なくとも２つのブランチは、異なる帯域において共振し得て、これにより、アンテナモジュールは、複数の帯域において動作し得る。従って、アンテナモジュールは、複数の周波数において動作し得て、アンテナモジュールのサイズが低減され得て、それにより、アンテナモジュールの小型化を実装する。アンテナモジュールがＭＩＭＯアンテナに適用される場合、ＭＩＭＯアンテナのサイズが低減され得る。
【０１０１】
クリアランス領域１１の内部は、クリアランス領域１１およびクリアランス領域１１の縁部を含むことがさらに留意されるべきである。例えば、クリアランス領域１１が矩形である場合、各ブランチ１３の末端の、水平面上の投影が矩形の縁部上にあるとき、各ブランチ１３の末端の、水平面上の投影がクリアランス領域１１の内側にあるとみなされる。このことはここでは単に説明のための例である。
【０１０２】
クリアランス領域１１の形状は限定されない。クリアランス領域１１は、矩形、円、もしくは三角形などの規則的な形状、または、多角形などの不規則な形状を有してよい。
【０１０３】
サポート１２の形状も限定されない。サポート１２も、規則的な形状または不規則な形状を有してよい。
【０１０４】
サポート１２の、水平面上の部分投影はクリアランス領域１１の内に収まり、サポート１２上のブランチ１３の自由端の、水平面上の投影はクリアランス領域１１の内側にある。従って、クリアランス領域１１の形状は、サポート１２の形状、およびサポート１２上のブランチ１３の位置の両方に関連する。
【０１０５】
サポート１２とクリアランス領域１１との間の相対的位置関係を説明するために、サポート１２が六面体構造を有する例のみを説明のために用いることが留意されたい。
【０１０６】
本出願の実施形態において、図２を参照すると、クリアランス領域１１は、互いに隣接する第１の側縁部ａおよび第２の側縁部ｂと、第１の側縁部ａおよび第２の側縁部ｂにそれぞれ対向して配置された第３の側縁部ｃおよび第４の側縁部ｄとを含む。サポート１２は、互いに隣接する第１の側面および第２の側面と、第１の側面および第２の側面にそれぞれ対向する第３の側面および第４の側面とを含む。サポート１２の第２の側面の、水平面上の投影が、クリアランス領域１１の第２の側縁部ｂの直線上に収まり、かつクリアランス領域１１の第２の側縁部ｂの少なくとも一部と重なる。サポート１２の、水平面上の投影と、クリアランス領域１１の第３の側縁部ｃおよび第４の側縁部ｄのそれぞれとの間の距離が０ｍｍ〜５ｍｍである。サポート１２の第１の側面は、クリアランス領域１１の外側にある。
【０１０７】
クリアランス領域１１は、上記４つの側縁部を有する四角形であってよく、クリアランス領域１１の具体的な形状は限定されない。クリアランス領域１１およびサポート１２は、上記の位置関係に配置され、これにより、クリアランス領域１１のサイズが最も大きい程度で低減され得て、それにより、アンテナモジュールのサイズを最も大きい程度で低減する。
【０１０８】
サポート１２の、水平面上の投影と、クリアランス領域１１の第３の側縁部ｃおよび第４の側縁部ｄのそれぞれとの間の距離が０ｍｍ〜５ｍｍであることは、サポート１２の第３の側面の、水平面上の投影と、クリアランス領域１１の第３の側縁部ｃとの間の距離、およびサポート１２の第４の側面の、水平面上の投影と、クリアランス領域１１の第４の側縁部ｄとの間の距離が０ｍｍ〜５ｍｍの範囲内にある任意の値であることを意味する。より長い距離は、ブランチ１３上の表面電流がクリアランス領域１１の縁部上により効果的に集中し得ることを示し、より短い距離は、クリアランス領域１１のサイズがより効果的に低減され得ることを示す。
【０１０９】
サポート１２上の少なくとも２つのブランチ１３の具体的な延伸方式は、限定されない。少なくとも２つのブランチ１３の異なる延伸方式は、異なる相互結合の生成をもたらす。具体的な設定原則は、サポート１２および少なくとも２つのブランチ１３が組み合わせて設計され、これにより、互いに干渉するブランチが要求される帯域に基づき、互いから可能な限り遠く離れることである。
【０１１０】
本出願の実施形態において、図３および図５を参照すると、少なくとも２つのブランチ１３は、第１の給電ブランチ１３１および第２の給電ブランチ１３２を含み、アンテナモジュールはさらに、給電点１４および接地点１５を含む。第１の給電ブランチ１３１の、給電点１４に接続されるように構成された１つの端部Ｏが、サポート１２の第１の側面上に配置され、かつサポート１２の第１の側面に沿ってサポート１２の第２の側面へ延伸する。接地点１５は、サポート１２の第１の側面上の第１の給電ブランチ１３１に接続される。第２の給電ブランチ１３２の、給電点１４に接続されるように構成された１つの端部Ｐが、サポート１２の第１の側面上の第１の給電ブランチ１３１に接続され、かつサポート１２の第１の側面に沿ってサポート１２の上面へ延伸する。第１の給電ブランチ１３１の長さが第１の予め設定した帯域に対応する波長の１／４であり、第２の給電ブランチ１３２の長さが第２の予め設定した帯域に対応する波長の１／８である。
【０１１１】
２つの給電ブランチ（１３１および１３２）はサポート１２上に配置され、２つの給電ブランチ（１３１および１３２）の位置および長さが調整され、これにより、アンテナモジュールは、第１の予め設定した帯域および第２の予め設定した帯域において動作する。加えて、２つの給電ブランチ（１３１および１３２）とクリアランス領域１１との間の相対的位置関係により、２つの給電ブランチ（１３１および１３２）上の表面電流はクリアランス領域１１の縁部上に集中し、接地プレート上に分配された電流は低減され得て、それにより、アンテナモジュールの間の電流結合を低減する。さらに、２つの給電ブランチ（１３１および１３２）はそれぞれ、サポート１２の側面および上面上に配置され、２つの給電ブランチ（１３１および１３２）が独立に動作することを保証する一方、サポート１２のサイズを可能な限り大幅に低減し、それにより、アンテナモジュールのサイズをさらに低減する。
【０１１２】
接地点１５と、サポート１２の第１の側面上の第１の給電ブランチ１３１との間の接続は限定されない。接地点１５は、接地ブランチを用いることによって、第１の給電ブランチ１３１の、給電点１４に接続されるように構成された端部に接続されてよく、または、接地点１５は、サポート１２の第１の側面上の第１の給電ブランチ１３１上に直接配置されてよい。図３および図５を参照すると、接地点１５が、接地ブランチを用いることによって、第１の給電ブランチ１３１の、給電点１４に接続されるように構成された端部に接続されたとき、第１の給電ブランチ１３１の長さは、接地ブランチの長さと、給電点に接続された端部から第１の給電ブランチ１３１の末端までの長さとの合計に等しい。接地点１５がサポート１２の第１の側面上の第１の給電ブランチ１３１上に直接配置されたとき（不図示）、第１のブランチ１３１の長さは、第１のブランチ１３１の、給電点１４に接続されるように構成された端部から第１のブランチ１３１の末端までの長さである。
【０１１３】
第１の予め設定した帯域および第２の予め設定した帯域は限定されない。サポート１２と、第１の給電ブランチ１３１および第２の給電ブランチ１３２との間の相対的位置関係が調整され得て、これにより、第１の給電ブランチ１３１および第２の給電ブランチ１３２は独立に動作し、要求される異なる帯域において共振する。
【０１１４】
ＰＣＳ１８８０ＭＨｚ〜１９２０ＭＨｚの帯域、およびＩＴＥ２３００ＭＨｚ〜２７００ＭＨｚの帯域が、最も頻繁に用いられる帯域である。従って、本出願のこの実施形態において、サポート１２と各ブランチ１３との間の相対的位置関係が調整され、第１の帯域および第２の帯域は、ＰＣＳ１８８０ＭＨｚ〜１９２０ＭＨｚの帯域およびＩＴＥ２３００ＭＨｚ〜２７００ＭＨｚの帯域における任意の２つの中帯域または高帯域であってよい。
【０１１５】
本出願の実施形態において、第１の予め設定した帯域はＩＴＥ２３００ＭＨｚであり、第２の予め設定した帯域は２７００ＭＨｚである。
【０１１６】
本出願の別の実施形態において、図４および図６を参照すると、少なくとも２つのブランチ１３はさらに、寄生ブランチ１３３を含む。寄生ブランチ１３３はクリアランス領域１１の内側に配置され、寄生ブランチ１３３の１つの端部Ｑがクリアランス領域１１の第１の側縁部ａに接続され、寄生ブランチ１３３の長さが第３の予め設定した帯域に対応する波長の１／１０である。
【０１１７】
本出願のこの実施形態において、寄生ブランチ１３３が追加され、寄生ブランチ１３３の位置および長さが調整され、これにより、寄生ブランチ１３３は、第３の予め設定した帯域において共振し、アンテナモジュールは、３つの帯域において動作し、それにより、アンテナモジュールの性能を向上させる。
【０１１８】
本出願の実施形態において、第３の予め設定した帯域はＰＣＳ１８８０ＭＨｚである。ＰＣＳ１８８０ＭＨｚ〜１９２０ＭＨｚの帯域およびＩＴＥ２３００ＭＨｚ〜２７００ＭＨｚの帯域は、無線通信において最も頻繁に用いられる帯域である。従って、アンテナモジュールは、最も頻繁に用いられる帯域において動作し得て、それにより、アンテナモジュールの性能を向上させる。加えて、３つのブランチ（１３１、１３２、および１３３）と、クリアランス領域１１との間の対応位置関係により、３つのブランチ（１３１、１３２、および１３３）上の表面電流はクリアランス領域１１の縁部上に集中し得て、接地プレートに分配される電流は低減され得て、それにより、アンテナモジュールの間の電流結合を低減する。アンテナモジュールがＭＩＭＯアンテナに適用される場合、ＭＩＭＯアンテナのサイズは、最も大きい程度で低減され得て、ＭＩＭＯアンテナにおける電流結合が低減され得て、それにより、ＭＩＭＯアンテナの性能を向上させる。
【０１１９】
本出願の実施形態において、図７および図８を参照すると、クリアランス領域１１は、互いに直交する第１の領域１１１および第２の領域１１２を含む。第１の領域１１１は、互いに隣接する側縁部Ｉ  ｉおよび側縁部ＩＩ  ｍと、側縁部Ｉ  ｉおよび側縁部ＩＩ  ｍにそれぞれ対向して配置された側縁部ＩＩＩ  ｎおよび側縁部ＩＶ  ｏとを含む。第２の領域１１２は、第１の領域１１１の側縁部ＩＩ  ｍの長さ方向に沿って延出する構造である。サポート１２は、互いに隣接する第１の側面および第２の側面と、第１の側面および第２の側面にそれぞれ対向する第３の側面および第４の側面とを含む。サポート１２の第３の側面の、水平面上の投影が、第１の領域１１１の側縁部Ｉ  ｉと重なる。サポート１２の第２の側面の、水平面上の投影が、第１の領域１１１の側縁部ＩＶ  ｏの直線上に収まり、第１の領域１１１の側縁部ＩＶ  ｏの一部と重なる。サポート１２の、水平面上の投影と、第１の領域１１１の側縁部ＩＩ  ｍおよび第２の領域１１２の、第１の領域１１１から遠く離れた側縁部ｅのそれぞれとの間の距離が０ｍｍ〜５ｍｍである。サポート１２の第１の側面の、水平面上の部分投影がクリアランス領域１１の外側にある。
【０１２０】
クリアランス領域１１は、互いに直交する第１の領域１１１および第２の領域１１２を有する任意の構造であってよく、クリアランス領域１１の具体的な形状は限定されない。クリアランス領域１１およびサポート１２は、上記の位置関係に配置され、これにより、クリアランス領域１１のサイズが最も大きい程度で低減され得て、それにより、アンテナモジュールのサイズを最も大きい程度で低減する。
【０１２１】
サポート１２の、水平面上の投影と、第１の領域１１１の側縁部ＩＩ  ｍおよび第２の領域１１２の、第１の領域１１１から遠く離れた側縁部ｅのそれぞれとの間の距離が０ｍｍ〜５ｍｍであることは、サポート１２の第４の側面の、水平面上の投影と、第１の領域１１１の側縁部ＩＩ  ｍとの間の距離が０ｍｍ〜５ｍｍの範囲内にある任意の値であり、サポート１２の第１の側面の、水平面上の部分投影と、第２の領域１１２の第１の領域１１１から遠く離れた側縁部ｅとの間の距離が０ｍｍ〜５ｍｍの範囲内にある任意の値であることを意味する。より長い距離は、ブランチ１３上の表面電流がクリアランス領域１１の縁部上により効果的に集中し得ることを示し、より短い距離は、クリアランス領域１１のサイズがより効果的に低減され得ることを示す。
【０１２２】
サポート１２上の少なくとも２つのブランチ１３の具体的な延伸方式は、限定されない。少なくとも２つのブランチ１３の異なる延伸方式は、異なる相互結合の生成をもたらす。具体的な設定原則は、サポート１２および少なくとも２つのブランチ１３が組み合わせて設計され、これにより、要求される帯域に基づき、互いに干渉するブランチが互いから可能な限り遠く離れることである。
【０１２３】
本出願の実施形態において、図９および図１１を参照すると、少なくとも２つのブランチ１３は、給電ブランチＩ  １３４および給電ブランチＩＩ  １３５を含み、アンテナモジュールはさらに、給電点１４および接地点１５を含む。給電ブランチＩ  １３４の、給電点１４に接続されるように構成された１つの端部Ｌが、給電点１４に接続される。給電ブランチＩ  １３４の第１の端部が、サポート１２の第１の側面上に配置され、かつサポート１２の第１の側面に沿ってサポート１２の第２の側面へ延伸する。接地点１５は、サポート１２の第２の側面上の給電ブランチＩ  １３４上に配置される。給電ブランチＩＩ  １３５の、給電点に接続されるように構成された１つの端部Ｍが、サポート１２の第１の側面上の給電ブランチＩ  １３４に接続され、かつサポート１２の第１の側面に沿ってサポート１２の上面へ延伸する。給電ブランチＩ  １３４の長さが第１の予め設定した帯域に対応する波長の１／４であり、給電ブランチＩＩ  １３５の長さが第２の予め設定した帯域に対応する波長の１／８である。
【０１２４】
２つの給電ブランチ（１３４および１３５）がサポート１２上に配置され、２つの給電ブランチ（１３４および１３５）の位置および長さが調整され、これにより、アンテナモジュールは、第１の予め設定した帯域および第２の予め設定した帯域において動作する。加えて、２つの給電ブランチ（１３４および１３５）とクリアランス領域１１との間の相対的位置関係により、２つの給電ブランチ（１３４および１３５）上の表面電流はクリアランス領域１１の縁部上に集中し、接地プレート上に分配される電流は低減され得る。さらに、２つの給電ブランチ（１３４および１３５）はサポート１２の側面および上面上にそれぞれ配置され、２つの給電ブランチ（１３４および１３５）が独立に動作することを保証する一方、サポート１２のサイズを可能な限り大幅に低減し、それにより、アンテナモジュールのサイズをさらに低減する。
【０１２５】
第１の予め設定した帯域および第２の予め設定した帯域は限定されない。サポート１２と、給電ブランチＩ  １３４および給電ブランチＩＩ  １３５との間の相対的位置関係が調整され得て、これにより、給電ブランチＩ  １３４および給電ブランチＩＩ  １３５は独立に動作し、要求される異なる帯域において共振する。
【０１２６】
ＰＣＳ１８８０ＭＨｚ〜１９２０ＭＨｚの帯域およびＩＴＥ２３００ＭＨｚ〜２７００ＭＨｚの帯域が、最も頻繁に用いられる帯域である。従って、本出願のこの実施形態において、サポート１２と各ブランチ１３との間の相対的位置関係が調整され、第１の帯域および第２の帯域は、ＰＣＳ１８８０ＭＨｚ〜１９２０ＭＨｚの帯域およびＩＴＥ２３００ＭＨｚ〜２７００ＭＨｚの帯域における任意の２つの中帯域または高帯域であってよい。
【０１２７】
本出願の実施形態において、第１の予め設定した帯域はＩＴＥ２３００ＭＨｚであり、第２の予め設定した帯域は２７００ＭＨｚである。
【０１２８】
本出願の別の実施形態において、図１０および図１２を参照すると、少なくとも２つのブランチはさらに、給電ブランチＩＩＩ  １３６を含む。給電ブランチＩＩＩ  １３６の、給電点１４に接続されるように構成された１つの端部Ｎが、サポート１２の第１の側面上の給電ブランチＩＩ  １３５に接続され、かつサポート１２の第１の側面に沿ってサポート１２の第４の側面へ延伸する。給電ブランチＩＩＩ  １３６の長さが第３の予め設定した帯域に対応する波長の１／１０である。
【０１２９】
本出願のこの実施形態において、給電ブランチＩＩＩ  １３６が追加され、給電ブランチＩＩＩ  １３６の位置および長さが調整され、これにより、給電ブランチＩＩＩ  １３６は第３の予め設定した帯域において共振し、アンテナモジュールは３つの帯域において動作し、それにより、アンテナモジュールの性能を向上させる。
【０１３０】
本出願の実施形態において、第３の予め設定した帯域は、ＰＣＳ１８８０ＭＨｚである。ＰＣＳ１８８０ＭＨｚ〜１９２０ＭＨｚの帯域およびＩＴＥ２３００ＭＨｚ〜２７００ＭＨｚの帯域は、無線通信において最も頻繁に用いられる帯域である。従って、アンテナモジュールは、最も頻繁に用いられる帯域において動作し得て、それにより、アンテナモジュールの性能を向上させる。加えて、３つのブランチ（１３４、１３５、および１３６）と、クリアランス領域１１との間の対応位置関係により、３つのブランチ（１３４、１３５、および１３６）上の表面電流はクリアランス領域１１の縁部上に集中し得て、接地プレート上に分配される電流は低減され得る。アンテナモジュールがＭＩＭＯアンテナに適用される場合、ＭＩＭＯアンテナのサイズは最も大きい程度で低減され得て、ＭＩＭＯアンテナにおける電流結合が低減され得て、それにより、ＭＩＭＯアンテナの性能を向上させる。
【０１３１】
第２の態様によれば、本出願の実施形態は、ＭＩＭＯアンテナを提供する。図１３を参照すると、ＭＩＭＯアンテナは、接地プレート１００と、接地プレート１００上に配置された少なくとも２つのアンテナモジュールとを含む。各アンテナモジュールは、クリアランス領域１１と、サポート１２と、少なくとも２つのブランチ１３とを含む。
【０１３２】
各ブランチ１３は、サポート１２上に配置される。サポート１２の、水平面上の部分投影がクリアランス領域１１内に収まる。各ブランチ１３の、給電点に接続されるように構成された１つの端部の、水平面上の投影がクリアランス領域１１の外側にあり、末端の、水平面上の投影がクリアランス領域１１の内側にある。
【０１３３】
本出願のこの実施形態は、ＭＩＭＯアンテナを提供する。少なくとも２つのブランチ１３は、サポート１２上に配置され、サポート１２は、クリアランス領域１１上に配置され、これにより、サポート１２の、水平面上の部分投影は、クリアランス領域１１の内側にあり、少なくとも２つのブランチ１３のそれぞれの、給電点に接続される端部の、水平面上の投影がクリアランス領域１１の外側にあり、末端の、水平面上の投影がクリアランス領域１１の内側にある。このように、クリアランス領域の空間が適切に用いられ得て、クリアランス領域のサイズが低減され得て、それにより、アンテナモジュールの小型化を実現する。さらに、ブランチ１３の末端は、クリアランス領域１１の内側に配置され、共振を完了させ、これにより、ブランチ１３上の表面電流はクリアランス領域１１の縁部上に可能な限り多く集中し、接地プレート上に分配される電流が低減される。加えて、少なくとも２つのブランチは、異なる帯域において共振し得て、これにより、アンテナモジュールは、複数の帯域において動作し得る。従って、アンテナモジュールは、複数の周波数において動作し得て、アンテナモジュールのサイズが低減され得て、それにより、アンテナモジュールの小型化を実現する。アンテナモジュールがＭＩＭＯアンテナに適用される場合、ＭＩＭＯアンテナのサイズが低減され得る。
【０１３４】
本出願の実施形態において、図２を参照すると、クリアランス領域１１は、互いに隣接する第１の側縁部ａおよび第２の側縁部ｂと、第１の側縁部ａおよび第２の側縁部ｂにそれぞれ対向して配置される第３の側縁部ｃおよび第４の側縁部ｄとを含む。サポート１２は、互いに隣接する第１の側面および第２の側面と、第１の側面および第２の側面にそれぞれ対向する第３の側面および第４の側面とを含む。サポート１２の第２の側面の、水平面上の投影が、クリアランス領域１１の第２の側縁部ｂの直線上に収まり、かつクリアランス領域１１の第２の側縁部ｂの少なくとも一部と重なる。サポート１２の、水平面上の投影と、クリアランス領域１１の第３の側縁部ｃおよび第４の側縁部ｄのそれぞれとの間の距離が０ｍｍ〜５ｍｍである。サポート１２の第１の側面は、クリアランス領域１１の外側にある。
【０１３５】
クリアランス領域１１およびサポート１２は、上記の位置関係に配置され、これにより、クリアランス領域１１のサイズは最も大きい程度で低減され得て、それにより、アンテナモジュールのサイズを最も大きい程度で低減し、ＭＩＭＯアンテナの多帯域性能および高アイソレーション性能を保証する。
【０１３６】
本出願の実施形態において、図３を参照すると、少なくとも２つのブランチ１３は、第１の給電ブランチ１３１および第２の給電ブランチ１３２を含み、アンテナモジュールはさらに、給電点１４および接地点１５を含む。第１の給電ブランチ１３１の、給電点１４に接続されるように構成された１つの端部Ｏが、サポート１２の第１の側面上に配置され、かつサポート１２の第１の側面に沿ってサポート１２の第２の側面へ延伸する。接地点１５は、サポート１２の第１の側面上の第１の給電ブランチ１３１に接続される。第２の給電ブランチ１３２の、給電点１４に接続されるように構成された１つの端部Ｐが、サポート１２の第１の側面上の第１の給電ブランチ１３１に接続され、かつサポート１２の第１の側面に沿ってサポート１２の上面へ延伸する。第１の給電ブランチ１３１の長さが第１の予め設定した帯域に対応する波長の１／４であり、第２の給電ブランチ１３２の長さが第２の予め設定した帯域に対応する波長の１／８である。
【０１３７】
２つの給電ブランチ（１３１および１３２）はサポート１２上に配置され、２つの給電ブランチ（１３１および１３２）の位置および長さが調整され、これにより、アンテナモジュールは、第１の予め設定した帯域および第２の予め設定した帯域において動作する。加えて、２つの給電ブランチ（１３１および１３２）とクリアランス領域１１との間の相対的位置関係により、２つの給電ブランチ（１３１および１３２）上の表面電流はクリアランス領域１１の縁部上に集中し、接地プレート上に分配される電流は低減され得て、それにより、アンテナモジュールの間の電流結合を低減する。さらに、２つの給電ブランチ（１３１および１３２）はそれぞれ、サポート１２の側面および上面上に配置され、２つの給電ブランチ（１３１および１３２）が独立に動作することを保証する一方、サポート１２のサイズを可能な限り大幅に低減し、それにより、アンテナモジュールのサイズをさらに低減する。
【０１３８】
第１の予め設定した帯域および第２の予め設定した帯域は限定されない。サポート１２と、第１の給電ブランチ１３１および第２の給電ブランチ１３２との間の相対的位置関係が調整され得て、これにより、第１の給電ブランチ１３１および第２の給電ブランチ１３２は、独立に動作し、要求される異なる帯域において共振する。
【０１３９】
ＰＣＳ１８８０ＭＨｚ〜１９２０ＭＨｚの帯域およびＩＴＥ２３００ＭＨｚ〜２７００ＭＨｚの帯域が、最も頻繁に用いられる帯域である。従って、本出願のこの実施形態において、サポート１２と、各ブランチ１３との間の相対的位置関係が調整され、第１の帯域および第２の帯域は、ＰＣＳ１８８０ＭＨｚ〜１９２０ＭＨｚの帯域およびＩＴＥ２３００ＭＨｚ〜２７００ＭＨｚの帯域における任意の２つ中帯域または高帯域であってよい。
【０１４０】
本出願の実施形態において、第１の予め設定した帯域はＩＴＥ２３００ＭＨｚであり、第２の予め設定した帯域は２７００ＭＨｚである。
【０１４１】
本出願の別の実施形態において、図４および図６を参照すると、少なくとも２つのブランチ１３はさらに、寄生ブランチ１３３を含む。寄生ブランチ１３３は、クリアランス領域１１の内側に配置され、寄生ブランチ１３３の１つの端部Ｑがクリアランス領域１１の第１の側縁部ａに接続され、寄生ブランチ１３３の長さが第３の予め設定した帯域に対応する波長の１／１０である。
【０１４２】
本出願のこの実施形態において、寄生ブランチ１３３が追加され、寄生ブランチ１３３の位置および長さが調整され、これにより、寄生ブランチ１３３は、第３の予め設定した帯域において共振し、アンテナモジュールは、３つの帯域において動作し、それにより、アンテナモジュール性能を向上させる。
【０１４３】
本出願の実施形態において、第３の予め設定した帯域はＰＣＳ１８８０ＭＨｚである。ＰＣＳ１８８０ＭＨｚ〜１９２０ＭＨｚの帯域およびＩＴＥ２３００ＭＨｚ〜２７００ＭＨｚの帯域は、無線通信において最も頻繁に用いられる帯域である。従って、アンテナモジュールは、最も頻繁に用いられる帯域において動作し得て、それにより、アンテナモジュールの性能を向上させる。加えて、３つのブランチ（１３１、１３２、および１３３）とクリアランス領域１１との間の対応位置関係により、３つのブランチ（１３１、１３２、および１３３）上の表面電流はクリアランス領域１１の縁部上に集中し得て、接地プレートに分配される電流は低減され得る。アンテナモジュールがＭＩＭＯアンテナに適用される場合、ＭＩＭＯアンテナのサイズは最も大きい程度で低減され得て、ＭＩＭＯアンテナにおける電流結合が低減され得て、それにより、ＭＩＭＯアンテナの性能を向上させる。
【０１４４】
実際の適用中に、ＭＩＭＯアンテナにおけるアンテナモジュールの間の距離が、アンテナモジュールによりカバーされる帯域に対応する波長の１／２である。この場合、任意の２つの隣接アンテナモジュールの間の相対的位置関係は限定されない。
【０１４５】
本出願の実施形態において、少なくとも２つのアンテナモジュールは、第１のアンテナモジュール１および第２のアンテナモジュール２を含む。第１のアンテナモジュール１および第２のアンテナモジュール２は、任意の２つの隣接アンテナモジュールである。図１３を参照すると、第１のアンテナモジュール１および第２のアンテナモジュール２が同じ構造を有し、第１のアンテナモジュール１および第２のアンテナモジュール２が第１の方向ｆ１および第２の方向ｆ２において千鳥状に順次配置され、第１のアンテナモジュール１の第２の側面が第１の方向ｆ１と反対の第３の方向ｆ３に面し、第２のアンテナモジュール２の第２の側面が第２の方向ｆ２に面する場合、２つの隣接アンテナモジュールの給電点１４の間の距離が、アンテナモジュールによりカバーされる最も低い帯域に対応する波長の１／４より長いかまたはそれに等しいか、または（図面に示されないが）、第１のアンテナモジュール１および第２のアンテナモジュール２が鏡面対称であり、第１のアンテナモジュール１および第２のアンテナモジュール２が第１の方向ｆ１および第２の方向ｆ２において千鳥状に順次配置され、第１のアンテナモジュール１の第２の側面が第１の方向ｆ１と反対の第３の方向ｆ３に面し、第２のアンテナモジュール２の第２の側面が第２の方向ｆ２に面する場合、２つの隣接アンテナモジュールの給電点１４の間の距離が、アンテナモジュールによりカバーされる最も低い帯域に対応する波長の１／４より長いかまたはそれに等しい。図１４を参照すると、第１のアンテナモジュール１および第２のアンテナモジュール２が鏡面対称であり、かつ逆の給電方向を有する場合、２つの隣接アンテナモジュールの給電点１４の間の距離が、アンテナモジュールによりカバーされる最も低い帯域に対応する波長の１／８より長いかまたはそれに等しい。図１５を参照すると、第１のアンテナモジュール１および第２のアンテナモジュール２が鏡面対称であり、かつ反対の給電方向を有する場合、２つの隣接アンテナモジュールの給電点１４の間の距離が、アンテナモジュールによりカバーされる最も低い帯域に対応する波長の１／４より長いかまたはそれに等しい。図１６を参照すると、第１のアンテナモジュール１および第２のアンテナモジュール２が鏡面対称であり、同じ給電方向を有し、２つの隣接アンテナモジュールの第４の側面が互いに対向して配置された場合、２つの隣接アンテナモジュールの給電点１４の間の距離が、アンテナモジュールによりカバーされる最も低い帯域に対応する波長の１／４より長いかまたはそれに等しい。
【０１４６】
本出願のこの実施形態において、任意の２つの隣接アンテナモジュールは、上記の方式で配置され、これにより、アンテナモジュールの正常動作を保証する一方、アンテナモジュールの間の距離が低減され得て、それにより、ＭＩＭＯアンテナが同じ数量のアンテナモジュールを用いることによって形成される場合、ＭＩＭＯアンテナのサイズを低減する。
【０１４７】
アンテナモジュールの数量は限定されず、アンテナモジュールの最大数量は、応用端末のサイズに基づいて適応され得て、それにより、応用端末の性能を向上させる。
【０１４８】
本出願の実施形態において、２つから８つのアンテナモジュールが存在する。
【０１４９】
２つのアンテナモジュールが存在する場合、２つのアンテナモジュールの間の位置関係は、上記の５つの場合のうち任意の１つを満たすことが留意されたい。３つのアンテナモジュールが存在する場合、図１７を参照すると、３つのアンテナモジュールのうち任意の２つ（ここでは、第１のアンテナモジュール１および第２のアンテナモジュール２を例として用いる）の間の位置関係が上記の５つの場合のうち任意の１つを満たし、他のアンテナモジュール（第３のアンテナモジュール３を例として用いる）と、第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たす。同様に、４つのアンテナモジュールが存在する場合、４つのアンテナモジュールのうち任意の２つ（ここでは、第１のアンテナモジュール１および第２のアンテナモジュール２を例として用いる）の間の位置関係が上記の５つの場合のうち任意の１つを満たし、他の２つのアンテナモジュール（第３のアンテナモジュール３および第４のアンテナモジュール４を例として用いる）のうちの１つ（第３のアンテナモジュール３を例として用いる）と、第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たし、第４のアンテナモジュール４と第１のアンテナモジュール１との間の位置関係が上記の５つの場合のうち任意の１つを満たし、第４のアンテナモジュール４と第２のアンテナモジュール２との間の位置関係も、上記の５つの場合のうち任意の１つを満たし、第４のアンテナモジュール４と第３のアンテナモジュール３との間の位置関係も、上記の５つの場合のうち任意の１つを満たす。５つ、６つ、７つ、または８つのアンテナモジュールが存在する場合、アンテナモジュールは、上述のルールに従って配置され、詳細はここでは説明されない。
【０１５０】
本出願の実施形態において、図１７を参照すると、８つのアンテナモジュールが存在する場合、８つのアンテナモジュール（１〜８）は第１の囲まれた領域を囲むように順次配置され、各アンテナモジュールの第２の側面が第１の囲まれた領域の外部に面する。構造を用いて、８ユニットのＭＩＭＯアンテナのサイズが最も大きい程度で低減され得て、それにより、８ユニットのＭＩＭＯアンテナのコンパクト化を向上させ、８ユニットのＭＩＭＯアンテナの小型化設計を実現する。
【０１５１】
８つのアンテナモジュール（１〜８）は、第１の囲まれた領域を囲むように順次配置される。例えば、図１７を参照すると、第１のアンテナモジュール１および第２のアンテナモジュール２は同じ構造を有し、第１のアンテナモジュール１および第２のアンテナモジュール２は第１の方向ｆ１および第２の方向ｆ２において千鳥状に順次配置され、第１のアンテナモジュール１の第２の側面が第１の方向ｆ１と反対の第３の方向ｆ３に面し、第２のアンテナモジュール２の第２の側面が第２の方向ｆ２に面し、２つの隣接アンテナモジュールの給電点１４の間の距離がアンテナモジュールによりカバーされる最も低い帯域に対応する波長の１／４に等しい。第２のアンテナモジュール２および第３のアンテナモジュール３は、鏡面対称であり、反対の給電方向を有し、２つの隣接アンテナモジュールの給電点１４の間の距離がアンテナモジュールによりカバーされる最も低い帯域に対応する波長の１／４に等しい。第３のアンテナモジュール３および第４のアンテナモジュール４は、同じ構造を有し、第４のアンテナモジュール４と第３のアンテナモジュール３との間の位置関係、および第１のアンテナモジュール１と第２のアンテナモジュール２との間の位置関係は、一対一の対応関係にあり、鏡面対称である。第４のアンテナモジュール４および第５のアンテナモジュール５は、鏡面対称であり、逆の給電方向を有し、２つの隣接アンテナモジュールの給電点１４の間の距離が、アンテナモジュールによりカバーされる最も低い帯域に対応する波長の１／８に等しい。第６のアンテナモジュール６と第５のアンテナモジュール５との間の位置関係、および第３のアンテナモジュール３と第４のアンテナモジュールの間の位置関係は、一対一の対応関係にあり、鏡面対称である。第７のアンテナモジュール７および第６のアンテナモジュール６は鏡面対称であり、反対の給電方向を有し、第６のアンテナモジュール６の給電点１４と第７のアンテナモジュール７の給電点１４との間の距離が、アンテナモジュールによりカバーされる最も低い帯域に対応する波長の１／４に等しい。第８のアンテナモジュール８と第７のアンテナモジュール７との間の位置関係、および第１のアンテナモジュール１と第２のアンテナモジュール２との間の位置関係は、一対一の対応関係にあり、鏡面対称である。８つのアンテナモジュールの第２の側面は全て、第１の囲まれた領域の外部に面する。
【０１５２】
接地プレート１００のサイズは限定されない。本出願の実施形態において、８つのアンテナモジュールの第２の側面は、接地プレート１００の縁部に近く配置される。構造を用いて、ＭＩＭＯアンテナのサイズは最も大きい程度で低減され得て、それにより、端末における、ＭＩＭＯアンテナにより占有される空間を増加する。特定の数量のアンテナモジュールが存在する場合、端末の小型化に対する要求が満たされ、それにより、端末の性能を向上させる。
【０１５３】
本出願の実施形態において、図７および図８を参照すると、クリアランス領域１１は、互いに直交する第１の領域１１１および第２の領域１１２を含む。第１の領域１１１は、互いに隣接する側縁部Ｉ  ｉおよび側縁部ＩＩ  ｍと、側縁部Ｉ  ｉおよび側縁部ＩＩ  ｍにそれぞれ対向して配置された側縁部ＩＩＩ  ｎおよび側縁部ＩＶ  ｏとを含む。第２の領域１１２は、第１の領域１１１の側縁部ＩＩ  ｍの長さ方向に沿って延出する構造である。サポート１２は、互いに隣接する第１の側面および第２の側面と、第１の側面および第２の側面にそれぞれ対向する第３の側面および第４の側面とを含む。サポート１２の第３の側面の、水平面上の投影が、第１の領域１１１の側縁部Ｉ  ｉと重なる。サポート１２の第２の側面の、水平面上の投影が、第１の領域１１１の側縁部ＩＶ  ｏの直線上に収まり、かつ第１の領域１１１の側縁部ＩＶ  ｏの一部と重なる。サポート１２の、水平面上の投影と、第１の領域１１１の側縁部ＩＩ  ｍおよび第２の領域１１２の、第１の領域１１１から遠く離れた側縁部ｅのそれぞれとの間の距離が０ｍｍ〜５ｍｍである。サポート１２の第１の側面の、水平面上の部分投影がクリアランス領域１１の外側にある。
【０１５４】
クリアランス領域１１およびサポート１２は、上記の位置関係に配置され、これにより、クリアランス領域１１のサイズは最も大きい程度で低減され得て、それにより、アンテナモジュールのサイズを最も大きい程度で低減し、ＭＩＭＯアンテナの多帯域性能および高アイソレーション性能を保証する。
【０１５５】
本出願の実施形態において、図９および図１１を参照すると、少なくとも２つのブランチ１３は、給電ブランチＩ  １３４および給電ブランチＩＩ  １３５を含み、アンテナモジュールはさらに、給電点１４および接地点１５を含む。給電ブランチＩ  １３４の、給電点１４に接続されるように構成された１つの端部Ｌが、給電点１４に接続される。給電ブランチＩ  １３４の第１の端部が、サポート１２の第１の側面上に配置され、かつサポート１２の第１の側面に沿ってサポート１２の第２の側面へ延伸する。接地点１５は、サポート１２の第２の側面上の給電ブランチＩ  １３４上に配置される。給電ブランチＩＩ  １３５の、給電点に接続されるように構成された１つの端部Ｍが、サポート１２の第１の側面上の給電ブランチＩ  １３４に接続され、かつサポート１２の第１の側面に沿ってサポート１２の上面へ延伸する。給電ブランチＩ  １３４の長さが第１の予め設定した帯域に対応する波長の１／４であり、給電ブランチＩＩ  １３５の長さが第２の予め設定した帯域に対応する波長の１／８である。
【０１５６】
２つの給電ブランチ（１３４および１３５）はサポート１２上に配置され、２つの給電ブランチ（１３４および１３５）の位置および長さが調整され、これにより、アンテナモジュールは、第１の予め設定した帯域および第２の予め設定した帯域において動作する。加えて、２つの給電ブランチ（１３４および１３５）とクリアランス領域１１との間の相対的位置関係により、２つの給電ブランチ（１３４および１３５）上の表面電流はクリアランス領域１１の縁部上に集中し、接地プレート上に分配される電流は低減され得て、それにより、アンテナモジュールの間の電流結合を低減する。さらに、２つの給電ブランチ（１３４および１３５）はそれぞれ、サポート１２の側面および上面上に配置され、２つの給電ブランチ（１３４および１３５）が独立に動作することを保証する一方、サポート１２のサイズを可能な限り大幅に低減し、それにより、アンテナモジュールのサイズをさらに低減する。
【０１５７】
第１の予め設定した帯域および第２の予め設定した帯域は限定されない。サポート１２と、給電ブランチＩ  １３４および給電ブランチＩＩ  １３５との間の相対的位置関係が調整され得て、これにより、給電ブランチＩ  １３４および給電ブランチＩＩ  １３５は、独立に動作し、要求される異なる帯域において共振する。
【０１５８】
ＰＣＳ１８８０ＭＨｚ〜１９２０ＭＨｚの帯域およびＩＴＥ２３００ＭＨｚ〜２７００ＭＨｚの帯域が、最も頻繁に用いられる帯域である。従って、本出願のこの実施形態において、サポート１２と各ブランチ１３との間の相対的位置関係が調整され、第１の帯域および第２の帯域は、ＰＣＳ１８８０ＭＨｚ〜１９２０ＭＨｚの帯域およびＩＴＥ２３００ＭＨｚ〜２７００ＭＨｚの帯域における任意の２つの中帯域または高帯域であってよい。
【０１５９】
本出願の実施形態において、第１の予め設定した帯域はＩＴＥ２３００ＭＨｚであり、第２の予め設定した帯域は２７００ＭＨｚである。
【０１６０】
本出願の別の実施形態において、図１０および図１２を参照すると、少なくとも２つのブランチはさらに、給電ブランチＩＩＩ  １３６を含む。給電ブランチＩＩＩ  １３６の、給電点１４に接続されるように構成された１つの端部Ｎが、サポート１２の第１の側面上の給電ブランチＩＩ  １３５に接続され、かつサポート１２の第１の側面に沿ってサポート１２の第４の側面へ延伸する。給電ブランチＩＩＩ  １３６の長さが第３の予め設定した帯域に対応する波長の１／１０である。
【０１６１】
本出願のこの実施形態において、給電ブランチＩＩＩ  １３６が追加され、給電ブランチＩＩＩ  １３６の位置および長さが調整され、これにより、給電ブランチＩＩＩ  １３６は第３の予め設定した帯域において共振し、アンテナモジュールは３つの帯域において動作し、それにより、アンテナモジュールの性能を向上させる。
【０１６２】
本出願の実施形態において、第３の予め設定した帯域はＰＣＳ１８８０ＭＨｚである。ＰＣＳ１８８０ＭＨｚ〜１９２０ＭＨｚの帯域およびＩＴＥ２３００ＭＨｚ〜２７００ＭＨｚの帯域は、無線通信において最も頻繁に用いられる帯域である。従って、アンテナモジュールは、最も頻繁に用いられる帯域において動作し得て、それにより、アンテナモジュールの性能を向上させる。加えて、３つのブランチ（１３４、１３５、および１３６）とクリアランス領域１１との間の対応位置関係により、３つのブランチ（１３４、１３５、および１３６）上の表面電流はクリアランス領域１１の縁部上に集中し得て、接地プレート上に分配される電流は低減され得る。アンテナモジュールがＭＩＭＯアンテナに適用される場合、ＭＩＭＯアンテナのサイズは最も大きい程度で低減され得て、ＭＩＭＯアンテナにおける電流結合が低減され得て、それにより、ＭＩＭＯアンテナの性能を向上させる。
【０１６３】
実際の適用中に、ＭＩＭＯアンテナにおけるアンテナモジュールの間の距離が、アンテナモジュールによりカバーされる帯域に対応する波長の１／２である。この場合、任意の２つの隣接アンテナモジュールの間の相対的位置関係は限定されない。
【０１６４】
本出願の実施形態において、少なくとも２つのアンテナモジュールは、第３のアンテナモジュール３および第４のアンテナモジュール４を含む。第３のアンテナモジュール３および第４のアンテナモジュール４は、任意の２つの隣接アンテナモジュールである。図１８を参照すると、第３のアンテナモジュール３および第４のアンテナモジュール４が同じ構造を有し、互いに直交して配置され、第３のアンテナモジュール３および第４のアンテナモジュール４が第２の方向ｆ２と反対の第４の方向ｆ４に沿って順次配置され、第３のアンテナモジュール３の第１の側面が第４のアンテナモジュール４の第４の側面に対向する場合、２つの隣接アンテナモジュールの給電点１４の間の距離が、アンテナモジュールによりカバーされる最も低い帯域に対応する波長の１／８より長いかまたはそれに等しい。図２０を参照すると、第３のアンテナモジュール３および第４のアンテナモジュール４が同じ構造を有し、第４の方向ｆ４に垂直な第１の方向ｆ１に沿って順次配置され、第３のアンテナモジュール３の第４の側面が第４のアンテナモジュール４の第１の側面または第２の側面に対向する場合、２つの隣接アンテナモジュールの給電点１４の間の距離が、アンテナモジュールによりカバーされる最も低い帯域に対応する波長の１／４より長いかまたはそれに等しい。図２１を参照すると、第３のアンテナモジュール３および第４のアンテナモジュール４が同じ構造を有し、逆の給電方向を有し、第４の方向ｆ４に沿って順次配置された場合、２つの隣接アンテナモジュールの給電点１４の間の距離が、アンテナモジュールによりカバーされる最も低い帯域に対応する波長の１／４より長いかまたはそれに等しい。図２２を参照すると、第３のアンテナモジュール３および第４のアンテナモジュール４が鏡面対称であり、互いに直交して配置され、第４の方向ｆ４に沿って順次配置され、第３のアンテナモジュール３の第２の側面が第４のアンテナモジュール４の第１の側面に対向する場合、２つの隣接アンテナモジュールの給電点１４の間の距離が、アンテナモジュールによりカバーされる最も低い帯域に対応する波長の１／８より長いかまたはそれに等しい。図１９を参照すると、第３のアンテナモジュール３および第４のアンテナモジュール４が鏡面対称であり、第１の方向ｆ１に沿って順次配置され、第３のアンテナモジュール３の第４の側面が第４のアンテナモジュール４の第３の側面または第４の側面に対向する場合、２つの隣接アンテナモジュールの給電点１４の間の距離が、アンテナモジュールによりカバーされる最も低い帯域に対応する波長の１／４より長いかまたはそれに等しい。
【０１６５】
本出願のこの実施形態において、任意の２つの隣接アンテナモジュールは、上記の方式で配置され、これにより、アンテナモジュールのアイソレーションを保証する一方、アンテナモジュールの間の距離が低減され得て、それにより、ＭＩＭＯアンテナが同じ数量のアンテナモジュールを用いることによって形成される場合、ＭＩＭＯアンテナのサイズを低減する。
【０１６６】
アンテナモジュールの数量は限定されず、アンテナモジュールの最大数量は、応用端末のサイズに基づいて適応され得て、それにより、応用端末の性能を向上させる。
【０１６７】
本出願の実施形態いおいて、２つから８つのアンテナモジュールが存在する。
【０１６８】
２つのアンテナモジュールが存在する場合、２つのアンテナモジュールの間の位置関係は、上記の５つの場合のうち任意の１つを満たすことが留意されたい。３つのアンテナモジュールが存在する場合、図２３を参照すると、３つのアンテナモジュールのうち任意の２つ（ここでは、第１のアンテナモジュール１および第２のアンテナモジュール２を例として用いる）の間の位置関係が、上記の５つの場合のうち任意の１つを満たし、他のアンテナモジュール（第３のアンテナモジュール３を例として用いる）と第１のアンテナモジュール１との間の位置関係が、上記の５つの場合のうち任意の１つを満たし、第３のアンテナモジュール３と第２のアンテナモジュール２との間の位置関係も、上記の５つの場合のうち任意の１つを満たす。同様に、４つのアンテナモジュールが存在する場合、４つのアンテナモジュールのうち任意の２つ（ここでは、第１のアンテナモジュール１および第２のアンテナモジュール２を例として用いる）の間の位置関係が上記の５つの場合のうち任意の１つを満たし、他の２つのアンテナモジュール（第３のアンテナモジュール３および第４のアンテナモジュール４を例として用いる）のうちの１つ（第３のアンテナモジュール３を例として用いる）と、第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たし、第４のアンテナモジュール４と第１のアンテナモジュール１との間の位置関係が上記の５つの場合のうち任意の１つを満たし、第４のアンテナモジュール４と第２のアンテナモジュール２との間の位置関係も、上記の５つの場合のうち任意の１つを満たし、第４のアンテナモジュール４と第３のアンテナモジュール３との間の位置関係も、上記の５つの場合のうち任意の１つを満たす。５つ、６つ、７つ、または８つのアンテナモジュールが存在する場合、アンテナモジュールは、上述のルールに従って配置され、詳細はここでは説明されない。
【０１６９】
本出願の実施形態において、図２３を参照すると、８つのアンテナモジュールが存在する場合、８つのアンテナモジュール（１〜８）は、第２の囲まれた領域を囲むように順次配置され、各アンテナモジュールの第２の側面または第３の側面は、第２の囲まれた領域の外部に面する。構造を用いて、８ユニットのＭＩＭＯアンテナのサイズが最も大きい程度で低減され得て、それにより、８ユニットのＭＩＭＯアンテナのコンパクト化を向上させ、８ユニットのＭＩＭＯアンテナの小型化設計を実現する。
【０１７０】
８つのアンテナモジュール（１〜８）は、第２の囲まれた領域を囲むように順次配置される。例えば、図２３を参照すると、第１のアンテナモジュール１および第２のアンテナモジュール２は同じ構造を有し、互いに直交して配置され、第１のアンテナモジュール１および第２のアンテナモジュール２は、第２の方向ｆ２と反対の第４の方向ｆ４に沿って順次配置され、第１のアンテナモジュール１の第１の側面は、第４のアンテナモジュール２の第４の側面に対向し、２つの隣接アンテナモジュールの給電点１４の間の距離が、アンテナモジュールによりカバーされる最も低い帯域に対応する波長の１／８に等しい。第２のアンテナモジュール２および第３のアンテナモジュール３は、鏡面対称であり、互いに直交して配置され、第４の方向ｆ４に沿って順次配置され、第２のアンテナモジュール２の第２の側面は、第３のアンテナモジュール３の第１の側面に対向し、２つの隣接アンテナモジュールの給電点１４の間の距離が、アンテナモジュールによりカバーされる最も低い帯域に対応する波長の１／８に等しい。第３のアンテナモジュール３および第４のアンテナモジュール４は同じ構造を有し、第４の方向ｆ４に垂直な第１の方向ｆ１に沿って順次配置され、第３のアンテナモジュール３の第４の側面は、第４のアンテナモジュール４の第２の側面に対向し、２つの隣接アンテナモジュールの給電点１４の間の距離が、アンテナモジュールによりカバーされる最も低い帯域に対応する波長の１／４に等しい。第４のアンテナモジュール４および第５のアンテナモジュール５は鏡面対称であり、第１の方向ｆ１に沿って順次配置され、第４のアンテナモジュール４の第４の側面は、第５のアンテナモジュール５の第４の側面に対向し、２つの隣接アンテナモジュールの給電点１４の間の距離が、アンテナモジュールによりカバーされる最も低い帯域に対応する波長の１／４に等しい。第６のアンテナモジュール６および第２のアンテナモジュール２は中心対称のであり、第６のアンテナモジュール６および第５のアンテナモジュール５は同じ構造を有し、かつ互いに直交し、２つの隣接アンテナモジュールの給電点１４の間の距離が、アンテナモジュールによりカバーされる最も低い帯域に対応する波長の１／８に等しい。第７のアンテナモジュール７および第６のアンテナモジュール６は鏡面対称であり、かつ互いに直交し、２つの隣接アンテナモジュール給電点１４の間の距離が、アンテナモジュールによりカバーされる最も低い帯域に対応する波長の１／８に等しい。第８のアンテナモジュール８および第４のアンテナモジュール４は同じ構造を有し、逆の給電方向を有し、かつ第４の方向ｆ４に沿って順次配置され、２つの隣接アンテナモジュールの給電点１４の間の距離がアンテナモジュールによりカバーされる最も低い帯域に対応する波長の１／４に等しい。８つのアンテナモジュールの第３の側面は全て、第２の囲まれた領域の外部に面する。
【０１７１】
接地プレート１００のサイズは限定されない。本出願の実施形態において、８つのアンテナモジュールの第２の側面または第３の側面は、接地プレート１００の縁部に近く配置される。構造を用いて、ＭＩＭＯアンテナのサイズは最も大きい程度で低減され得て、それにより、端末における、ＭＩＭＯアンテナにより占有される空間を増加する。特定の数量のアンテナモジュールが存在する場合、端末の小型化に対する要求が満たされ、それにより、端末の性能を向上させる。
【０１７２】
第３の態様によれば、本出願の実施形態は、端末を提供し、当該端末は、ＭＩＭＯアンテナと、プリント回路基板上に配置された無線周波数端部とを備える。ＭＩＭＯアンテナの各給電点は、無線周波数端部に接続され、無線周波数端部は、信号をＭＩＭＯアンテナへ送信するか、またはＭＩＭＯアンテナにより送信された信号を受信するように構成される。
【０１７３】
図１３を参照すると、ＭＩＭＯアンテナは、接地プレート１００、および接地プレート１００上に配置された少なくとも２つのアンテナモジュールを含む。
【０１７４】
各アンテナモジュールは、クリアランス領域１１と、サポート１２と、少なくとも２つのブランチ１３とを含む。
【０１７５】
各ブランチ１３は、サポート１２上に配置される。サポート１２の、水平面上の部分投影がクリアランス領域１１内に収まる。各ブランチ１３の、給電点に接続されるように構成された１つの端部の、水平面上の投影がクリアランス領域１１の外側にあり、末端の、水平面上の投影がクリアランス領域１１の内側にある。
【０１７６】
本出願のこの実施形態は、端末を提供する。少なくとも２つのブランチ１３はサポート１２上に配置され、サポート１２はクリアランス領域１１上に配置され、これにより、サポート１２の、水平面上の部分投影はクリアランス領域１１の内側にあり、少なくとも２つのブランチ１３のそれぞれの、給電点に接続される端部の、水平面上の投影はクリアランス領域１１の外側にあり、末端の、水平面上の投影はクリアランス領域１１の内側にある。このように、クリアランス領域は適切に用いられ得て、クリアランス領域びサイズが低減され得て、それにより、アンテナモジュールの小型化を実現する。さらに、ブランチ１３の末端は、クリアランス領域１１の内側に配置され、共振を完了させ、これにより、ブランチ１３上の表面電流がクリアランス領域１１の縁部上に可能な限り多く集中し、接地プレート上に分配される電流が低減される。加えて、少なくとも２つのブランチは、異なる帯域において共振し得て、これにより、アンテナモジュールは、複数の帯域において動作し得る。従って、アンテナモジュールは、複数の周波数において動作し得て、アンテナモジュールのサイズが低減され得て、それにより、アンテナモジュールの小型化を実現する。アンテナモジュールがＭＩＭＯアンテナに適用される場合、ＭＩＭＯアンテナのサイズが低減され得る。ＭＩＭＯアンテナが端末に適用される場合、端末の小型化に対する要求が満たされ得る。
【０１７７】
端末は限定されず、端末は、携帯電話またはコンピュータであってよい。
【０１７８】
ＭＩＭＯアンテナが端末に適用される場合、ＭＩＭＯアンテナは、２ユニットのＭＩＭＯアンテナであってよく、４ユニットのＭＩＭＯアンテナであってよく、または８ユニットのＭＩＭＯアンテナであってよいことが留意されたい。
【０１７９】
各アンテナモジュールの構造は限定されない。
【０１８０】
本出願の実施形態において、図２を参照すると、クリアランス領域１１は、互いに隣接する第１の側縁部ａおよび第２の側縁部ｂと、第１の側縁部ａおよび第２の側縁部ｂにそれぞれ対向して配置された第３の側縁部ｃおよび第４の側縁部ｄとを含む。サポート１２は、互いに隣接する第１の側面および第２の側面と、第１の側面および第２の側面にそれぞれ対向する第３の側面および第４の側面とを含む。サポート１２の第２の側面の、水平面上の投影がクリアランス領域１１の第２の側縁部ｂの直線上に収まり、かつ、クリアランス領域１１の第２の側縁部ｂの少なくとも一部と重なる。サポート１２の、水平面上の投影と、クリアランス領域１１の第３の側縁部ｃおよび第４の側縁部ｄのそれぞれとの間の距離が、０ｍｍ〜５ｍｍである。サポート１２の第１の側面は、クリアランス領域１１の外側にある。
【０１８１】
クリアランス領域１１およびサポート１２は、上記の位置関係に配置され、これにより、クリアランス領域１１のサイズが最も大きい程度で低減され得て、それにより、アンテナモジュールおサイズを最も大きい程度で低減する。
【０１８２】
本出願の実施形態において、図３および図５を参照すると、少なくとも２つのブランチ１３は、第１の給電ブランチ１３１および第２の給電ブランチ１３２を含み、アンテナモジュールはさらに、給電点１４および接地点１５を含む。第１の給電ブランチ１３１の、給電点１４に接続されるように構成された１つの端部Ｏが、サポート１２の第１の側面上に配置され、サポート１２の第１の側面に沿ってサポート１２の第２の側面へ延伸する。接地点１５は、サポート１２の第１の側面上の第１の給電ブランチ１３１に接続される。第２の給電ブランチ１３２の、給電点１４に接続されるように構成された１つの端部Ｐが、サポート１２の第１の側面上の第１の給電ブランチ１３１に接続され、サポート１２の第１の側面に沿ってサポート１２の上面へ延伸する。第１の給電ブランチ１３１の長さが第１の予め設定した帯域に対応する波長の１／４であり、第２の給電ブランチ１３２の長さが第２の予め設定した帯域に対応する波長の１／８である。
【０１８３】
２つの給電ブランチ（１３１および１３２）がサポート１２上に配置され、２つの給電ブランチ（１３１および１３２）の位置および長さが調整され、これにより、アンテナモジュールは、第１の予め設定した帯域および第２の予め設定した帯域において動作する。加えて、２つの給電ブランチ（１３１および１３２）とクリアランス領域１１との間の相対的位置関係により、２つの給電ブランチ（１３１および１３２）上の表面電流がクリアランス領域１１の縁部上に集中し、接地プレート上に分配される電流が低減され得て、それにより、アンテナモジュールの間の電流結合が低減され得る。さらに、２つの給電ブランチ（１３１および１３２）はそれぞれ、サポート１２の側面および上面上に配置され、２つの給電ブランチ（１３１および１３２）が独立に動作することを保証する一方、サポート１２のサイズを可能な限り大幅に低減し、それにより、アンテナモジュールのサイズをさらに低減する。
【０１８４】
接地点１５とサポート１２の第１の側面上の第１の給電ブランチ１３１との間の接続は限定されない。接地点１５は、接地ブランチを用いることによって、第１の給電ブランチ１３１の、給電点１４に接続されるように構成された端部に接続されてよく、または、接地点１５は、サポート１２の第１の側面上の第１の給電ブランチ１３１上に直接配置されてよい。図３および図５を参照すると、接地点１５が、接地ブランチを用いることによって第１の給電ブランチ１３１の、給電点１４に接続されるように構成された端部に接続されたとき、第１の給電ブランチ１３１の長さは、接地ブランチの長さと、給電点に接続された端部から第１の給電ブランチ１３１の末端までの長さとの合計に等しい。接地点１５がサポート１２の第１の側面上の第１の給電ブランチ１３１上に直接配置された場合（不図示）、第１のブランチ１３１の長さは、第１のブランチ１３１の、給電点１４に接続されるように構成された端部から第１のブランチ１３１の末端までの長さである。
【０１８５】
第１の予め設定した帯域および第２の予め設定した帯域は限定されない。サポート１２と、第１の給電ブランチ１３１および第２の給電ブランチ１３２との間の相対的位置関係が調整され得て、これにより、第１の給電ブランチ１３１および第２の給電ブランチ１３２は、独立に動作し、要求される異なる帯域において共振する。
【０１８６】
ＰＣＳ１８８０ＭＨｚ〜１９２０ＭＨｚの帯域およびＩＴＥ２３００ＭＨｚ〜２７００ＭＨｚの帯域が、最も頻繁に用いられる帯域である。従って、本出願のこの実施形態において、サポート１２と各ブランチ１３との間の相対的位置関係が調整され、第１の帯域および第２の帯域は、ＰＣＳ１８８０ＭＨｚ〜１９２０ＭＨｚの帯域およびＩＴＥ２３００ＭＨｚ〜２７００ＭＨｚの帯域における任意の２つの中帯域または高帯域であってよい。
【０１８７】
本出願の実施形態において、第１の予め設定した帯域は、ＩＴＥ２３００ＭＨｚであり、第２の予め設定した帯域は、２７００ＭＨｚである。
【０１８８】
本出願の別の実施形態において、図４および図６を参照すると、少なくとも２つのブランチ１３はさらに、寄生ブランチ１３３を含む。寄生ブランチ１３３は、クリアランス領域１１の内側に配置され、寄生ブランチ１３３の１つの端部Ｑがクリアランス領域１１の第１の側縁部ａに接続され、寄生ブランチ１３３お長さが第３の予め設定した帯域に対応する波長の１／１０である。
【０１８９】
本出願のこの実施形態において、寄生ブランチ１３３が追加され、寄生ブランチ１３３の位置および長さが調整され、これにより、寄生ブランチ１３３は、第３の予め設定した帯域において共振され、アンテナモジュールは３つの帯域において動作し、それにより、アンテナモジュールの性能を向上させる。
【０１９０】
本出願の実施形態において、第３の予め設定した帯域は、ＰＣＳ１８８０ＭＨｚである。ＰＣＳ１８８０ＭＨｚ〜１９２０ＭＨｚの帯域およびＩＴＥ２３００ＭＨｚ〜２７００ＭＨｚの帯域は、無線通信において最も頻繁に用いられる帯域である。従って、アンテナモジュールは、最も頻繁に用いられる帯域において動作し得て、それにより、アンテナモジュールの性能を向上させる。加えて、３つのブランチ（１３１、１３２、および１３３）とクリアランス領域１１との間の対応位置関係により、３つのブランチ（１３１、１３２、および１３３）上の表面電流がクリアランス領域１１の縁部上に集中し得て、接地プレート上に分配される電流が低減され得る。アンテナモジュールがＭＩＭＯアンテナに適用される場合、ＭＩＭＯアンテナのサイズは、最も大きい程度で低減され得て、ＭＩＭＯアンテナにおける電流結合が低減され得て、それにより、ＭＩＭＯアンテナの性能を向上させる。
【０１９１】
実際の適用中に、ＭＩＭＯアンテナにおけるアンテナモジュールの間の距離が、アンテナモジュールによりカバーされる帯域に対応する波長の１／２である。この場合、任意の２つの隣接アンテナモジュールの間の相対的位置関係が限定されない。
【０１９２】
本出願の実施形態において、少なくとも２つのアンテナモジュールは、第１のアンテナモジュール１および第２のアンテナモジュール２を含む。第１のアンテナモジュール１および第２のアンテナモジュール２は、任意の２つの隣接アンテナモジュールである。図１３を参照すると、第１のアンテナモジュール１および第２のアンテナモジュール２が同じ構造を有し、第１のアンテナモジュール１および第２のアンテナモジュール２が第１の方向ｆ１および第２の方向ｆ２において千鳥状に順次配置され、第１のアンテナモジュール１の第２の側面が第１の方向ｆ１と反対の第３の方向ｆ３に面し、第２のアンテナモジュール２の第２の側面が第２の方向ｆ２に面する場合、２つの隣接アンテナモジュールの給電点１４の間の距離が、アンテナモジュールによりカバーされる最も低い帯域に対応する波長の１／４より長いかまたはそれに等しいか、または（図面に示されないが）、第１のアンテナモジュール１および第２のアンテナモジュール２が鏡面対称であり、第１のアンテナモジュール１および第２のアンテナモジュール２が第１の方向ｆ１および第２の方向ｆ２において千鳥状に順次配置され、第１のアンテナモジュール１の第２の側面が第１の方向ｆ１と反対の第３の方向ｆ３に面し、第２のアンテナモジュール２の第２の側面が第２の方向ｆ２に面する場合、２つの隣接アンテナモジュールの給電点１４の間の距離が、アンテナモジュールによりカバーされる最も低い帯域に対応する波長の１／４より長いかまたはそれに等しい。図１４を参照すると、第１のアンテナモジュール１および第２のアンテナモジュール２が鏡面対称であり、逆の給電方向を有する場合、２つの隣接アンテナモジュールの給電点１４の間の距離が、アンテナモジュールによりカバーされる最も低い帯域に対応する波長の１／８より長いかまたはそれに等しい。図１５を参照すると、第１のアンテナモジュール１および第２のアンテナモジュール２が鏡面対称であり、反対の給電方向を有する場合、２つの隣接アンテナモジュールの給電点１４の間の距離が、アンテナモジュールによりカバーされる最も低い帯域に対応する波長の１／４より長いかまたはそれに等しい。図１６を参照すると、第１のアンテナモジュール１および第２のアンテナモジュール２が鏡面対称であり、同じ給電方向を有し、２つの隣接アンテナモジュールの第４の側面が互いに対向して配置された場合、２つの隣接アンテナモジュールの給電点１４の間の距離が、アンテナモジュールによりカバーされる最も低い帯域に対応する波長の１／４より長いかまたはそれに等しい。
【０１９３】
本出願のこの実施形態において、任意の２つの隣接アンテナモジュールは、上記の方式で配置され、これにより、アンテナモジュールの正常な動作を保証する一方、アンテナモジュールの間の距離が低減され得て、それにより、ＭＩＭＯアンテナが同じ数量のアンテナモジュールを用いることによって形成される場合、ＭＩＭＯアンテナのサイズを低減する。
【０１９４】
アンテナモジュールの数量は限定されず、アンテナモジュールの最大数量は、応用端末のサイズに基づいて適応され得て、それにより、応用端末の性能を向上させる。
【０１９５】
本出願の実施形態において、２つから８つのアンテナモジュールが存在する。
【０１９６】
２つのアンテナモジュールが存在する場合、２つのアンテナモジュールの間の位置関係は、上記の５つの場合のうち任意の１つを満たすことが留意されたい。３つのアンテナモジュールが存在する場合、図１７を参照すると、３つのアンテナモジュールのうち任意の２つ（ここで、第１のアンテナモジュール１および第２のアンテナモジュール２を例として用いる）の間の位置関係が上記の５つの場合のうち任意の１つを満たし、他のアンテナモジュール（第３のアンテナモジュール３を例として用いる）と第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たす。同様に、４つのアンテナモジュールが存在する場合、４つのアンテナモジュールのうち任意の２つ（ここで、第１のアンテナモジュール１および第２のアンテナモジュール２を例として用いる）の間の位置関係が上記の５つの場合のうち任意の１つを満たし、他の２つのアンテナモジュール（第３のアンテナモジュール３および第４のアンテナモジュール４を例として用いる）のうちの１つ（第３のアンテナモジュール３を例として用いる）と、第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たし、第４のアンテナモジュール４と第１のアンテナモジュール１との間の位置関係が上記の５つの場合のうち任意の１つを満たし、第４のアンテナモジュール４と第２のアンテナモジュール２との間の位置関係も、上記の５つの場合のうち任意の１つを満たし、第４のアンテナモジュール４と第３のアンテナモジュール３との間の位置関係も、上記の５つの場合のうち任意の１つを満たす。５つ、６つ、７つ、または８つのアンテナモジュールが存在する場合、アンテナモジュールは、上述のルールに従って配置され、詳細はここでは説明されない。
【０１９７】
本出願の実施形態において、図１７を参照すると、８つのアンテナモジュールが存在する場合、８つのアンテナモジュール（１〜８）は、第１の囲まれた領域を囲むように順次配置され、各アンテナモジュールの第２の側面は、第１の囲まれた領域の外部に面する。構造を用いて、８ユニットのＭＩＭＯアンテナのサイズが最も大きい程度で低減され得て、それにより、８ユニットのＭＩＭＯアンテナのコンパクト化を向上させ、８ユニットのＭＩＭＯアンテナの小型化設計を実現する。
【０１９８】
８つのアンテナモジュール（１〜８）は、第１の囲まれた領域を囲むように順次配置される。例えば、図１７を参照すると、第１のアンテナモジュール１および第２のアンテナモジュール２は、同じ構造を有し、第１のアンテナモジュール１および第２のアンテナモジュール２は、第１の方向ｆ１および第２の方向ｆ２において千鳥状に順次配置され、第１のアンテナモジュール１の第２の側面が第１の方向ｆ１と反対の第３の方向ｆ３に面し、第２のアンテナモジュール２の第２の側面が第２の方向ｆ２に面し、２つの隣接アンテナモジュールの給電点１４の間の距離が、アンテナモジュールによりカバーされる最も低い帯域に対応する波長の１／４に等しい。第２のアンテナモジュール２および第３のアンテナモジュール３は鏡面対称であり、反対の給電方向を有し、２つの隣接アンテナモジュールの給電点１４の間の距離がアンテナモジュールによりカバーされる最も低い帯域に対応する波長の１／４に等しい。第３のアンテナモジュール３および第４のアンテナモジュール４は同じ構造を有し、第４のアンテナモジュール４と第３のアンテナモジュール３との間の位置関係、および第１のアンテナモジュール１と第２のアンテナモジュール２との間の位置関係は、一対一の対応関係にあり、鏡面対称である。第４のアンテナモジュール４および第５のアンテナモジュール５は、鏡面対称であり、逆の給電方向を有し、２つの隣接アンテナモジュールの給電点１４の間の距離が、アンテナモジュールによりカバーされる最も低い帯域に対応する波長の１／８に等しい。第６のアンテナモジュール６と第５のアンテナモジュール５との間の位置関係、および第３のアンテナモジュール３と第４のアンテナモジュールとの間の位置関係は、一対一の対応関係にあり、鏡面対称である。第７のアンテナモジュール７および第６のアンテナモジュール６は、鏡面対称であり、反対の給電方向を有し、第７のアンテナモジュール７および第６のアンテナモジュール６の給電点１４の間の距離が、アンテナモジュールによりカバーされる最も低い帯域に対応する波長の１／４に等しい。第８のアンテナモジュール８と第７のアンテナモジュール７との間の位置関係、および第１のアンテナモジュール１と第２のアンテナモジュール２との間の位置関係は、一対一の対応関係にあり、鏡面対称である。８つのアンテナモジュールの第２の側面は全て、第１の囲まれた領域の外部に面する。
【０１９９】
８ユニットのＭＩＭＯアンテナが最も頻繁に用いられる、１８８９ＭＨｚ〜１９２０ＭＨｚおよび２３００ＭＨｚ〜２７００ＭＨｚの動作帯域において動作する例を用いて、８ユニットのＭＩＭＯアンテナが図１７において示されているように配置された場合、アンテナモジュールの最も低い動作帯域に対応する波長が、１５ｃｍである。この場合、端末のサイズは、長さがおよそ７ｃｍ〜１５ｃｍであってよく、幅がおよそ６ｃｍ〜１０ｃｍである。従って、８ユニットのＭＩＭＯアンテナが端末に適用される場合、端末のサイズは、携帯電話のサイズに等しく、８ユニットのＭＩＭＯアンテナは、携帯電話に適用され得る。従って、端末のサイズは最も大きい程度で低減され得て、端末のシステムスループットレートが動作中に向上し得る。
【０２００】
本出願の実施形態において、図７および図８を参照すると、クリアランス領域１１は、互いに直交する第１の領域１１１および第２の領域１１２を含む。第１の領域１１１は、互いに隣接する側縁部Ｉ  ｉおよび側縁部ＩＩ  ｍと、側縁部Ｉ  ｉおよび側縁部ＩＩ  ｍにそれぞれ対向して配置された側縁部ＩＩＩ  ｎおよび側縁部ＩＶ  ｏとを含む。第２の領域１１２は、第１の領域１１１の側縁部ＩＩ  ｍの長さ方向に沿って延出する構造である。サポート１２は、互いに隣接する第１の側面および第２の側面と、第１の側面および第２の側面にそれぞれ対向する第３の側面および第４の側面とを含む。サポート１２の第３の側面の、水平面上の投影が第１の領域１１１の側縁部Ｉ  ｉと重なる。サポート１２の第２の側面の、水平面上の投影が第１の領域１１１の側縁部ＩＶ  ｏの直線上に収まり、かつ第１の領域１１１側縁部ＩＶ  ｏの一部と重なる。サポート１２の、水平面上の投影と、第１の領域１１１の側縁部ＩＩ  ｍおよび第２の領域１１２、の第１の領域１１１から遠く離れた側縁部ｅのそれぞれとの間の距離が０ｍｍ〜５ｍｍである。サポート１２の第１の側面の、水平面上の部分投影が、クリアランス領域１１の外側にある。
【０２０１】
クリアランス領域１１およびサポート１２は上記の位置関係に配置され、これにより、クリアランス領域１１のサイズは最も大きい程度で低減され得て、それにより、アンテナモジュールのサイズを最も大きい程度で低減する。
【０２０２】
本出願の実施形態において、図９および図１１を参照すると、少なくとも２つのブランチ１３は、給電ブランチＩ  １３４および給電ブランチＩＩ  １３５を含み、アンテナモジュールはさらに、給電点１４および接地点１５を含む。給電ブランチＩ  １３４の、給電点１４に接続されるように構成された１つの端部Ｌが、給電点１４に接続される。給電ブランチＩ  １３４の第１の端部は、サポート１２の第１の側面上に配置され、かつサポート１２の第１の側面に沿ってサポート１２の第２の側面へ延伸する。接地点１５は、サポート１２の第２の側面上の給電ブランチＩ  １３４上に配置される。給電ブランチＩＩ  １３５の、給電点に接続されるように構成された１つの端部Ｍが、サポート１２の第１の側面上の給電ブランチＩ  １３４に接続され、かつサポート１２の第１の側面に沿ってサポート１２の上面へ延伸する。給電ブランチＩ  １３４の長さが第１の予め設定した帯域に対応する波長の１／４であり、給電ブランチＩＩ  １３５の長さが第２の予め設定した帯域に対応する波長の１／８である。
【０２０３】
２つの給電ブランチ（１３４および１３５）はサポート１２上に配置され、２つの給電ブランチ（１３４および１３５）の位置および長さが調整され、これにより、アンテナモジュールは、第１の予め設定した帯域および第２の予め設定した帯域において動作する。加えて、２つの給電ブランチ（１３４および１３５）とクリアランス領域１１との間の相対的位置関係により、２つの給電ブランチ（１３４および１３５）上の表面電流はクリアランス領域１１の縁部上に集中し、接地プレート上に分配される電流は低減され得て、それにより、アンテナモジュールの間の電流結合を低減する。さらに、２つの給電ブランチ（１３４および１３５）はそれぞれ、サポート１２の側面および上面上に配置され、２つの給電ブランチ（１３４および１３５）が独立に動作することを保証する一方、サポート１２のサイズを可能な限り大幅に低減し、それにより、アンテナモジュールのサイズをさらに低減する。
【０２０４】
第１の予め設定した帯域および第２の予め設定した帯域は限定されない。サポート１２と給電ブランチＩ  １３４および給電ブランチＩＩ  １３５との間の相対的位置関係が調整され得て、これにより、給電ブランチＩ  １３４および給電ブランチＩＩ  １３５は、独立に動作し、要求される異なる帯域において共振する。
【０２０５】
ＰＣＳ１８８０ＭＨｚ〜１９２０ＭＨｚの帯域およびＩＴＥ２３００ＭＨｚ〜２７００ＭＨｚの帯域が、最も頻繁に用いられる帯域である。従って、本出願のこの実施形態において、サポート１２と各ブランチ１３との間の相対的位置関係が調整され、第１の帯域および第２の帯域は、ＰＣＳ１８８０ＭＨｚ〜１９２０ＭＨｚの帯域およびＩＴＥ２３００ＭＨｚ〜２７００ＭＨｚの帯域における任意の２つの中帯域または高帯域であってよい。
【０２０６】
本出願の実施形態において、第１の予め設定した帯域はＩＴＥ２３００ＭＨｚであり、第２の予め設定した帯域は２７００ＭＨｚである。
【０２０７】
本出願の別の実施形態において、図１０および図１２を参照すると、少なくとも２つのブランチはさらに、給電ブランチＩＩＩ  １３６を含む。給電ブランチＩＩＩ  １３６の、給電点１４に接続されるように構成された１つの端部Ｎが、サポート１２の第１の側面上の給電ブランチＩＩ  １３５に接続され、かつサポート１２の第１の側面に沿ってサポート１２の第４の側面へ延伸する。給電ブランチＩＩＩ  １３６の長さが、第３の予め設定した帯域に対応する波長の１／１０である。
【０２０８】
本出願のこの実施形態において、給電ブランチＩＩＩ  １３６が追加され、給電ブランチＩＩＩ  １３６の位置よび長さが調整され、これにより、給電ブランチＩＩＩ  １３６は、第３の予め設定した帯域において共振し、アンテナモジュールは、３つの帯域において動作し、それにより、アンテナモジュールの性能を向上させる。
【０２０９】
本出願の実施形態において、第３の予め設定した帯域はＰＣＳ１８８０ＭＨｚである。ＰＣＳ１８８０ＭＨｚ〜１９２０ＭＨｚの帯域およびＩＴＥ２３００ＭＨｚ〜２７００ＭＨｚの帯域は、無線通信において最も頻繁に用いられる帯域である。従って、アンテナモジュールは、最も頻繁に用いられる帯域において動作し得て、それにより、アンテナモジュールの性能を向上させる。加えて、３つのブランチ（１３４、１３５、および１３６）とクリアランス領域１１との間の対応位置関係により、３つのブランチ（１３４、１３５、および１３６）上の表面電流はクリアランス領域１１の縁部上に集中し得て、接地プレート上に分配される電流は低減され得る。アンテナモジュールがＭＩＭＯアンテナに適用される場合、ＭＩＭＯアンテナのサイズは最も大きい程度で低減され得て、ＭＩＭＯアンテナにおける電流結合が低減され得て、それにより、ＭＩＭＯアンテナの性能を向上させる。
【０２１０】
実際の適用中に、ＭＩＭＯアンテナにおけるアンテナモジュールの間の距離が、アンテナモジュールによりカバーされる帯域に対応する波長の１／２である。この場合、任意の２つの隣接アンテナモジュールの間の相対的位置関係は限定されない。
【０２１１】
本出願の実施形態において、少なくとも２つのアンテナモジュールは、第３のアンテナモジュール３および第４のアンテナモジュール４を含む。第３のアンテナモジュール３および第４のアンテナモジュール４は、任意の２つの隣接アンテナモジュールである。図１８を参照すると、第３のアンテナモジュール３および第４のアンテナモジュール４が同じ構造を有し、互いに直交して配置され、第３のアンテナモジュール３および第４のアンテナモジュール４が第２の方向ｆ２に対向する第４の方向ｆ４に沿って順次配置され、第３のアンテナモジュール３の第１の側面が第４のアンテナモジュール４の第４の側面に対向する場合、２つの隣接アンテナモジュールの給電点１４の間の距離が、アンテナモジュールによりカバーされる最も低い帯域に対応する波長の１／８より長いかまたはそれに等しい。図２０を参照すると、第３のアンテナモジュール３および第４のアンテナモジュール４が同じ構造を有し、第４の方向ｆ４に垂直な第１の方向ｆ１に沿って順次配置され、第３のアンテナモジュール３の第４の側面が第４のアンテナモジュール４の第１の側面または第２の側面に対向する場合、２つの隣接アンテナモジュールの給電点１４の間の距離が、アンテナモジュールによりカバーされる最も低い帯域に対応する波長の１／４より長いかまたはそれに等しい。図２１を参照すると、第３のアンテナモジュール３および第４のアンテナモジュール４が同じ構造を有し、逆の給電方向を有し、第４の方向ｆ４に沿って順次配置された場合、２つの隣接アンテナモジュールの給電点１４の間の距離が、アンテナモジュールによりカバーされる最も低い帯域に対応する波長の１／４より長いかまたはそれに等しい。図２２を参照すると、第３のアンテナモジュール３および第４のアンテナモジュール４が鏡面対称であり、互いに直交して配置され、第４の方向ｆ４に沿って順次配置され、第３のアンテナモジュール３の第２の側面が第４のアンテナモジュール４の第１の側面に対向する場合、２つの隣接アンテナモジュールの給電点１４の間の距離が、アンテナモジュールによりカバーされる最も低い帯域に対応する波長の１／８より長いかまたはそれに等しい。図１９を参照すると、第３のアンテナモジュール３および第４のアンテナモジュール４が鏡面対称であり、第１の方向ｆ１に沿って順次配置され、第３のアンテナモジュール３の第４の側面が第４のアンテナモジュール４の第３の側面または第４の側面に対向する場合、２つの隣接アンテナモジュールの給電点１４の間の距離が、アンテナモジュールによりカバーされる最も低い帯域に対応する波長の１／４より長いかまたはそれに等しい。
【０２１２】
本出願のこの実施形態において、任意の２つの隣接アンテナモジュールは上記の方式で配置され、これにより、アンテナモジュールのアイソレーションを保証する一方、アンテナモジュールの間の距離が低減され得て、それにより、ＭＩＭＯアンテナが同じ数量のアンテナモジュールを用いることによって形成される場合、ＭＩＭＯアンテナのサイズを低減する。
【０２１３】
アンテナモジュールの数量は限定されず、アンテナモジュールの最大数量は、応用端末のサイズに基づいて適応され得て、それにより、応用端末の性能を向上させる。
【０２１４】
本出願の実施形態において、２つから８つのアンテナモジュールが存在する。
【０２１５】
２つのアンテナモジュールが存在する場合、２つのアンテナモジュールの間の位置関係は、上記の５つの場合のうち任意の１つを満たすことが留意されたい。３つのアンテナモジュールが存在する場合、図２３を参照すると、３つのアンテナモジュールのうち任意の２つ（ここで、第１のアンテナモジュール１および第２のアンテナモジュール２を例として用いる）の間の位置関係が上記の５つの場合のうち任意の１つを満たし、他のアンテナモジュール（第３のアンテナモジュール３を例として用いる）と第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たす。同様に、４つのアンテナモジュールが存在する場合、４つのアンテナモジュールのうち任意の２つ（ここで、第１のアンテナモジュール１および第２のアンテナモジュール２を例として用いる）の間の位置関係が上記の５つの場合のうち任意の１つを満たし、他の２つのアンテナモジュール（第３のアンテナモジュール３および第４のアンテナモジュール４を例として用いる）のうちの１つ（第３のアンテナモジュール３を例として用いる）と第１のアンテナモジュール１との間の位置関係が上記の５つの場合のうち任意の１つを満たし、第３のアンテナモジュール３と第２のアンテナモジュール２との間の位置関係も、上記の５つの場合のうち任意の１つを満たし、第４のアンテナモジュール４と第１のアンテナモジュール１との間の位置関係が上記の５つの場合のうち任意の１つを満たし、第４のアンテナモジュール４と第２のアンテナモジュール２との間の位置関係も、上記の５つの場合のうち任意の１つを満たし、第４のアンテナモジュール４と第３のアンテナモジュール３との間の位置関係も、上記の５つの場合のうち任意の１つを満たす。５つ、６つ、７つ、または８つのアンテナモジュールが存在する場合、アンテナモジュールは上述のルールに従って配置され、詳細はここでは説明されない。
【０２１６】
本出願の実施形態において、図２３を参照すると、８つのアンテナモジュールが存在する場合、８つのアンテナモジュール（１〜８）は、第２の囲まれた領域を囲むように順次配置され、各アンテナモジュールの第２の側面または第３の側面は、第２の囲まれた領域の外部に面する。構造を用いて、８ユニットのＭＩＭＯアンテナのサイズは、最も大きい程度で低減され得て、それにより、８ユニットのＭＩＭＯアンテナのコンパクト化を向上させ、８ユニットのＭＩＭＯアンテナの小型化設計を実現する。
【０２１７】
８つのアンテナモジュール（１〜８）は、第２の囲まれた領域を囲むように順次配置される。例えば、図２３を参照すると、第１のアンテナモジュール１および第２のアンテナモジュール２は同じ構造を有し、互いに直交して配置され、第１のアンテナモジュール１および第２のアンテナモジュール２は第２の方向ｆ２と反対の第４の方向ｆ４に沿って順次配置され、第１のアンテナモジュール１の第１の側面は第４のアンテナモジュール２の第４の側面に対向し、２つの隣接アンテナモジュールの給電点１４の間の距離が、アンテナモジュールによりカバーされる最も低い帯域に対応する波長の１／８に等しい。第２のアンテナモジュール２および第３のアンテナモジュール３は鏡面対称であり、互いに直交して配置され、第４の方向ｆ４に沿って順次配置され、第２のアンテナモジュール２の第２の側面は、第３のアンテナモジュール３の第１の側面に対向し、２つの隣接アンテナモジュールの給電点１４の間の距離が、アンテナモジュールによりカバーされる最も低い帯域に対応する波長の１／８に等しい。第３のアンテナモジュール３および第４のアンテナモジュール４は、同じ構造を有し、第４の方向ｆ４に垂直な第１の方向ｆ１に沿って順次配置され、第３のアンテナモジュール３の第４の側面は、第４のアンテナモジュール４の第２の側面に対向し、２つの隣接アンテナモジュール給電点１４の間の距離が、アンテナモジュールによりカバーされる最も低い帯域に対応する波長の１／４に等しい。第４のアンテナモジュール４および第５のアンテナモジュール５は鏡面対称であり、第１の方向ｆ１に沿って順次配置され、第４のアンテナモジュール４の第４の側面は、第５のアンテナモジュール５の第４の側面に対向し、２つの隣接アンテナモジュールの給電点１４の間の距離が、アンテナモジュールによりカバーされる最も低い帯域に対応する波長の１／４に等しい。第６のアンテナモジュール６および第２のアンテナモジュール２は中心対称であり、第６のアンテナモジュール６および第５のアンテナモジュール５は同じ構造を有し、互いに直交し、２つの隣接アンテナモジュールの給電点１４の間の距離が、アンテナモジュールによりカバーされる最も低い帯域に対応する波長の１／８に等しい。第７のアンテナモジュール７および第６のアンテナモジュール６は鏡面対称であり、互いに直交し、２つの隣接アンテナモジュールの給電点１４の間の距離が、アンテナモジュールによりカバーされる最も低い帯域に対応する波長の１／８に等しい。第８のアンテナモジュール８および第４のアンテナモジュール４は、同じ構造を有し、逆の給電方向を有し、第４の方向ｆ４に沿って順次配置され、２つの隣接アンテナモジュールの給電点１４の間の距離が、アンテナモジュールによりカバーされる最も低い帯域に対応する波長の１／４に等しい。８つのアンテナモジュールの第３の側面は全て、第２の囲まれた領域の外部に面する。
【０２１８】
８ユニットのＭＩＭＯアンテナが、最も頻繁に用いられる、１８８９ＭＨｚ〜１９２０ＭＨｚおよび２３００ＭＨｚ〜２７００ＭＨｚの動作帯域において動作する例を用いて、８ユニットのＭＩＭＯアンテナが図１８において示されているように配置された場合、アンテナモジュールの最も低い動作帯域に対応する波長が、１５ｃｍである。この場合、端末のサイズは、長さがおよそ７ｃｍ〜１５ｃｍであり、幅がおよそ６ｃｍ〜１０ｃｍである。従って、８ユニットのＭＩＭＯアンテナが端末に適用される場合、端末のサイズが携帯電話のサイズに等しく、８ユニットのＭＩＭＯアンテナは、携帯電話に適用されてよい。従って、端末のサイズは、最も大きい程度で低減され得て、端末のシステムスループットレートが動作中に向上し得る。
【０２１９】
本出願の実施形態を客観的に評価するために、本出願の具体的な実装方式およびもたらされた技術的効果は、以下の実施形態および実験例を設けることによって、詳細に説明される。
【０２２０】
［実施形態１］
【０２２１】
図４において示されている８つのアンテナモジュール構造が、図１７において示されている方式で接地プレート１００上に配置される。各アンテナモジュールにおいて、図４を参照すると、サポート１２の第２の側面の、水平面上の投影がクリアランス領域１１の第２の側縁部ｂの直線上に収まり、かつクリアランス領域１１の第２の側縁部ｂの少なくとも一部と重なり、水平面上のサポート１２の投影と、クリアランス領域１１の第３の側縁部ｃおよび第４の側縁部ｄのそれぞれとの間の距離が０ｍｍ〜５ｍｍであり、サポート１２の第１の側面はクリアランス領域１１の外側にある。
【０２２２】
［実施形態２］
【０２２３】
図１０において示されている８つのアンテナモジュールが、図２３において示されている方式で接地プレート１００上に配置される。各アンテナモジュールにおいて、図１０を参照すると、クリアランス領域１１は、互いに直交する第１の領域１１１および第２の領域１１２を含む。サポート１２の第３の側面の、水平面上の投影が、第１の領域１１１の側縁部Ｉ  ｉと重なり、サポート１２の第２の側面の、水平面上の投影が、第１の領域１１１の側縁部ＩＶ  ｏの直線上に収まり、かつ第１の領域１１１の側縁部ＩＶ  ｏの一部と重なり、サポート１２の、水平面上の投影と、第１の領域１１１の側縁部ＩＩ  ｍおよび第２の領域１１２の、第１の領域１１１から遠く離れた側縁部ｅのそれぞれとの間の距離は０ｍｍ〜５ｍｍであり、サポート１２の第１の側面の、水平面上の部分投影はクリアランス領域１１の外側にある。
【０２２４】
［実験例］
【０２２５】
図２４および図２５において示されている結果は、実施形態１におけるＭＩＭＯアンテナのリターン損失およびアイソレーションをテストすることによって得られる。
【０２２６】
図２４を参照すると、Ｓ１１およびＳ２２はそれぞれ、１．８ＧＨｚ〜１．９ＧＨｚおよび２．３ＧＨｚ〜２．７ＧＨｚの帯域における第１のアンテナモジュール１および第２のアンテナモジュール２のリターン損失Ｓパラメータを表す。図２４から、１．８ＧＨｚ〜１．９ＧＨｚの帯域において、第１のアンテナモジュール１および第２のアンテナモジュール２のリターン損失Ｓ１１およびＳ２２は両方とも、−１０ｄＢより小さく、２．３ＧＨｚ〜２．７ＧＨｚの帯域において、第１のアンテナモジュール１のリターン損失Ｓ１１は、−１０ｄＢより小さく、第２のアンテナモジュール２のリターン損失Ｓ２２は、−１０ｄＢより小さいということが分かる。１．８ＧＨｚ〜１．９２ＧＨｚおよび２．３ＧＨｚ〜２．７ＧＨｚの帯域において、ＭＩＭＯアンテナは、複数の方向から信号を同時に受信することができ、複数の方向へ信号を同時に伝送することもでき、複数の無線通信端末に広く適用され得ることが示される。
【０２２７】
図２５を参照すると、図２５は、１．８ＧＨｚ〜１．９ＧＨｚおよび２．３ＧＨｚ〜２．７ＧＨｚの帯域における第１のアンテナモジュール１と他のアンテナモジュールとの間のアイソレーションのテストチャートである。Ｓ１２、Ｓ１３、Ｓ１４、Ｓ１５、Ｓ１６、Ｓ１７、およびＳ１８はそれぞれ、第１のアンテナモジュール１と、第２のアンテナモジュール２、第３のアンテナモジュール３、第４のアンテナモジュール４、第５のアンテナモジュール５、第６のアンテナモジュール６、第７のアンテナモジュール７、および第８のアンテナモジュール８との間のアイソレーションである。図２５から、第１のアンテナモジュール１とアンテナモジュール（２〜８）のそれぞれとの間のアイソレーションは、−１０ｄＢ未満であることが分かり、ＭＩＭＯアンテナのアンテナモジュールの間に高アイソレーションが存在することを示す。
【０２２８】
実施形態１におけるＭＩＭＯアンテナの自由空間結合状態に対して、適合が実行され、図２６ａおよび図２６ｂにおいて示されている結果を得る。
【０２２９】
第１のアンテナモジュール１、および第１のアンテナモジュール１に隣接する第２のアンテナモジュール２は、１．９ＧＨｚ、２．３５ＧＨｚ、および２．６ＧＨｚの帯域における自由空間結合状態を説明するための例として用いられる。図２６ａは、第１のアンテナモジュール１のアンテナ放射パターンであり、図２６ｂは、第２のアンテナモジュール２のアンテナ放射パターンである。図２６ａおよび図２６ｂから、各アンテナモジュールのアンテナ放射方向性は、比較的良好であり、第１のアンテナモジュール１および第２のアンテナモジュール２のアンテナ放射パターンは、異なる方向に向かって指向されるということが分かる。アンテナ放射パターンが特定の方向性を有する。このことは、第１のアンテナモジュール１および第２のアンテナモジュール２が上記の方式で配置された場合、動作中に、良好かつ高いアイソレーションが第１のアンテナモジュール１と第２のアンテナモジュール２との間で達成され、アンテナモジュールの間の結合が低減され得て、それにより、アンテナモジュールの動作独立性を保証することを意味する。
【０２３０】
図２７および図２８において示されている結果は、実施形態２におけるＭＩＭＯアンテナのリターン損失およびアイソレーションをテストすることによって得られる。
【０２３１】
図２７を参照すると、Ｓ１１、Ｓ２２、Ｓ３３、およびＳ４４はそれぞれ、１．８ＧＨｚ〜１．９ＧＨｚおよび２．３ＧＨｚ〜２．７ＧＨｚの帯域における第１のアンテナモジュール１、第２のアンテナモジュール２、第３のアンテナモジュール３、および第４のアンテナモジュール４のリターン損失Ｓパラメータを表す。図２７から、１．８ＧＨｚ〜１．９ＧＨｚの帯域における動作中に、第１のアンテナモジュール１、第２のアンテナモジュール２、第３のアンテナモジュール３、および第４のアンテナモジュール４のリターン損失Ｓ１１、Ｓ２２、Ｓ３３、およびＳ４４は全て、−１０ｄＢより小さく、２．３ＧＨｚ〜２．７ＧＨｚの帯域における動作中に、第１のアンテナモジュール１、第２のアンテナモジュール２、第３のアンテナモジュール３、および第４のアンテナモジュール４のリターン損失Ｓ１１、Ｓ２２、Ｓ３３、およびＳ４４も全て、−１０ｄＢより小さいということが分かる。１８８９ＭＨｚ〜１９２０ＭＨｚおよび２３００ＭＨｚ〜２７００ＭＨｚの帯域において、アンテナは、複数の方向から信号を同時に受信することができ、複数の方向へ信号を同時に伝送することもでき、複数の無線通信端末に広く適用されることができることが示される。
【０２３２】
図２８を参照すると、図２８は、１．８ＧＨｚ〜１．９ＧＨｚおよび２．３ＧＨｚ〜２．７ＧＨｚの帯域における第１のアンテナモジュール１と他のアンテナモジュールとの間のアイソレーションのテストチャートである。Ｓ１２、Ｓ１３、Ｓ１４、Ｓ１５、Ｓ１６、Ｓ１７、およびＳ１８はそれぞれ、第１のアンテナモジュール１と、第２のアンテナモジュール２、第３のアンテナモジュール３、第４のアンテナモジュール４、第５のアンテナモジュール５、第６のアンテナモジュール６、第７のアンテナモジュール７、および第８のアンテナモジュール８との間のアイソレーションである。図２８から、第１のアンテナモジュール１と、アンテナモジュール（２〜８）のそれぞれとの間のアイソレーションは、−１０ｄＢ未満であることが分かり、ＭＩＭＯアンテナのアンテナモジュールの間に高アイソレーションが存在することを示す。
【０２３３】
実施形態２におけるＭＩＭＯアンテナの自由空間結合状態に対して、適合が実行され、図２９ａ、図２９ｂ、および図２９ｃにおいて示されている結果を得る。
【０２３４】
１．９ＧＨｚ、２．３５ＧＨｚ、および２．７ＧＨｚの帯域における第１のアンテナモジュール１、第２のアンテナモジュール２、および第３のアンテナモジュール３のアンテナ放射パターンは、アンテナモジュールの自由空間結合状態を説明するために例として用いられる。図２９ａは、第１のアンテナモジュール１のアンテナ放射パターンであり、図２９ｂは、第３のアンテナモジュール３のアンテナ放射パターンであり、図２９ｃは、第２のアンテナモジュール２のアンテナ放射パターンである。図２９ａ、図２９ｂ、および図２９ｃから、第１のアンテナモジュール１、第２のアンテナモジュール２、および第３のアンテナモジュール３のアンテナ放射パターンは、異なる方向に向かって指向されるということが分かる。アンテナ放射パターンは特定の方向性を有する。このことは、動作中に、良好かつ高いアイソレーションが第１のアンテナモジュール１、第２のアンテナモジュール２、および第３のアンテナモジュール３の間で達成され、アンテナモジュールの間の結合が低減され得て、それにより、アンテナモジュールの動作独立性を向上させることを意味する。
【０２３５】
実際の適用中に、実施形態１および実施形態２におけるＭＩＭＯアンテナの全体的な性能が評価され、ＭＩＭＯアンテナのスペクトル効率が比較例として、従来技術におけるＭＩＭＯ全方位アンテナを用いることによってテストされる。図３０において示されている結果を参照する。
【０２３６】
既存の２ユニットのＭＩＭＯ全方位アンテナは比較例として用いられる。図３０の右図から、本出願の実施形態において提供される実施形態１では、８ユニットＭＩＭＯアンテナにおいて、物理量が８であるとき、適合を用いて得られた最大実数量は７．６であり、実施形態２において、物理量が８であるとき、適合を用いて得られた最大実数量は７．５であり、比較例において、適合を用いて得られた実数量はおよそ７であることが分かる。実施形態１および実施形態２におけるアンテナモジュールの実数量は両方とも、比較例におけるアンテナモジュールの実数量より高いということが分かり、本出願の実施形態において提供されている８ユニットＭＩＭＯアンテナの性能は、比較的極めて良好である。既存のチャネル環境において、理論上、２ユニットのＭＩＭＯアンテナのスペクトル効率が、およそ１３ｂｐｓ／Ｈｚである。図３０の左図を参照することによって、実験例１および実験例２において、理論上、８ユニットのＭＩＭＯアンテナのスペクトル効率はそれぞれ、４４ｂｐｓ／Ｈｚおよび３９ｂｐｓ／Ｈｚであり、比較例において、理論上、８ユニットＭＩＭＯアンテナのスペクトル効率が４０ｂｐｓ／Ｈｚであることが分かる。本出願の実施形態において提供されている８ユニットのＭＩＭＯアンテナは、比較的高いスペクトル効率の特徴を有することが示される。
【０２３７】
上記から、本出願において提供されているアンテナモジュールのサイズは、比較的小さいということが分かる。アンテナモジュールがＭＩＭＯアンテナに適用される場合、ＭＩＭＯアンテナのサイズは低減され得る。ＭＩＭＯアンテナが端末に適用される場合、端末のサイズは低減され得て、より多くのアンテナモジュールが特定のサイズの端末に追加され得て、それにより、端末の性能を向上させる。さらに、アンテナモジュールの間の距離は低減され、ＭＩＭＯアンテナのサイズをさらに低減する。加えて、上記のＭＩＭＯアンテナの全体的な性能は、系統的にテストされ、本出願において提供されるＭＩＭＯアンテナは、低結合、高アイソレーション、複数の帯域、および比較的高いシステムスペクトル効率の特徴を有することが分かる。
【０２３８】
上記の説明は単に、本出願の具体的な実装方式であり、本出願の保護範囲を限定することを意図しない。当業者により本出願において開示されている技術的範囲内で容易に想到される任意の変形例または置き換えは、本出願の保護範囲内に含まれるものとする。従って、本出願の保護範囲は、特許請求の範囲の保護範囲に従うものとする。
【図１】
2019506038.tif 000003
【図２】
2019506038.tif 000004
【図３】
2019506038.tif 000005
【図４】
2019506038.tif 000006
【図５】
2019506038.tif 000007
【図６】
2019506038.tif 000008
【図７】
2019506038.tif 000009
【図８】
2019506038.tif 000010
【図９】
2019506038.tif 000011
【図１０】
2019506038.tif 000012
【図１１】
2019506038.tif 000013
【図１２】
2019506038.tif 000014
【図１３】
2019506038.tif 000015
【図１４】
2019506038.tif 000016
【図１５】
2019506038.tif 000017
【図１６】
2019506038.tif 000018
【図１７】
2019506038.tif 000019
【図１８】
2019506038.tif 000020
【図１９】
2019506038.tif 000021
【図２０】
2019506038.tif 000022
【図２１】
2019506038.tif 000023
【図２２】
2019506038.tif 000024
【図２３】
2019506038.tif 000025
【図２４】
2019506038.tif 000026
【図２５】
2019506038.tif 000027
【図２６ａ】
2019506038.tif 000028
【図２６ｂ】
2019506038.tif 000029
【図２７】
2019506038.tif 000030
【図２８】
2019506038.tif 000031
【図２９ａ】
2019506038.tif 000032
【図２９ｂ】
2019506038.tif 000033
【図２９ｃ】
2019506038.tif 000034
【図３０】
2019506038.tif 000035
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
アンテナモジュールであって、前記アンテナモジュールは、クリアランス領域と、サポートと、少なくとも２つのブランチとを備え、
各ブランチは前記サポート上に配置され、前記サポートの、水平面上の部分投影が前記クリアランス領域内に収まり、各ブランチの、給電点に接続される１つの端部の、前記水平面上の投影が前記クリアランス領域の外側にあり、末端の、前記水平面上の投影が前記クリアランス領域の内側にある、
アンテナモジュール。
【請求項２】
前記クリアランス領域は、互いに隣接する第１の側縁部および第２の側縁部と、前記第１の側縁部および前記第２の側縁部にそれぞれ対向して配置された第３の側縁部および第４の側縁部とを有し、前記サポートは、互いに隣接する第１の側面および第２の側面と、前記第１の側面および前記第２の側面にそれぞれ対向する第３の側面および第４の側面とを有し、
前記サポートの、前記水平面上の前記第２の側面の投影が、前記クリアランス領域の前記第２の側縁部の直線上に収まり、前記クリアランス領域の前記第２の側縁部の少なくとも一部と重なり、前記サポートの、前記水平面上の投影と、前記クリアランス領域の前記第３の側縁部および前記第４の側縁部のそれぞれとの間の距離が、０ｍｍ〜５ｍｍであり、前記サポートの前記第１の側面は、前記クリアランス領域の外側にある、
請求項１に記載のアンテナモジュール。
【請求項３】
前記少なくともの２つのブランチは、第１の給電ブランチおよび第２の給電ブランチを含み、前記アンテナモジュールはさらに、前記給電点および接地点を備え、
前記第１の給電ブランチの、前記給電点に接続される１つの端部が、前記サポートの前記第１の側面上に配置され、かつ前記サポートの前記第１の側面に沿って前記サポートの前記第２の側面へ延伸し、前記接地点は、前記サポートの前記第１の側面上の前記第１の給電ブランチに接続され、
前記第２の給電ブランチの、前記給電点に接続される１つの端部が、前記サポートの前記第１の側面上の前記第１の給電ブランチに接続され、かつ前記サポートの前記第１の側面に沿って前記サポートの上面へ延伸し、
前記第１の給電ブランチの長さが第１の予め設定した帯域に対応する波長の１／４であり、前記第２の給電ブランチの長さが第２の予め設定した帯域に対応する波長の１／８である、
請求項２に記載のアンテナモジュール。
【請求項４】
前記少なくともの２つのブランチはさらに、寄生ブランチを含み、
前記寄生ブランチ（は、前記クリアランス領域の内側に配置され、前記寄生ブランチの１つの端部が、前記クリアランス領域の前記第１の側縁部に接続され、
前記寄生ブランチの長さが第３の予め設定した帯域に対応する波長の１／１０である、
請求項３に記載のアンテナモジュール。
【請求項５】
前記クリアランス領域は、互いに直交する第１の領域および第２の領域を有し、前記第１の領域は、互いに隣接する側縁部Ｉおよび側縁部ＩＩと、前記側縁部Ｉおよび前記側縁部ＩＩにそれぞれ対向して配置された側縁部ＩＩＩおよび側縁部ＩＶとを含み、前記第２の領域は、前記第１の領域の前記側縁部ＩＩの長さ方向に沿って延出する構造であり、前記サポートは、互いに隣接する第１の側面および第２の側面と、前記第１の側面および前記第２の側面にそれぞれ対向する第３の側面および第４の側面とを有し、
前記サポートの、前記水平面上の前記第３の側面の投影が、前記第１の領域の前記側縁部Ｉと重なり、前記サポートの、前記水平面上の前記第２の側面の投影が、前記第１の領域の前記側縁部ＩＶの直線上に収まり、かつ前記第１の領域の前記側縁部ＩＶの一部と重なり、前記サポートの、前記水平面上の投影と、前記第１の領域の前記側縁部ＩＩおよび前記第２の領域の、前記第１の領域（から遠く離れた側縁部のそれぞれとの間の距離が０ｍｍ〜５ｍｍであり、前記サポートの、前記水平面上の前記第１の側面の部分投影が前記クリアランス領域の外側にある、
請求項１に記載のアンテナモジュール。
【請求項６】
前記少なくとも２つのブランチは、給電ブランチＩおよび給電ブランチＩＩを含み、前記アンテナモジュールはさらに、前記給電点および接地点を備え、
前記給電ブランチＩの、前記給電点に接続される１つの端部が、前記給電点に接続され、前記給電ブランチＩの第１の端部が、前記サポートの前記第１の側面上に配置され、かつ前記サポートの前記第１の側面に沿って前記サポートの前記第２の側面へ延伸し、前記接地点は、前記サポートの前記第２の側面上の前記給電ブランチＩ上に配置され、
前記給電ブランチＩＩの、前記給電点に接続される１つの端部（が、前記サポートの前記第１の側面上の前記給電ブランチＩに接続され、かつ前記サポートの前記第１の側面に沿って前記サポートの上面へ延伸し、
前記給電ブランチＩ（の長さが第１の予め設定した帯域に対応する波長の１／４であり、前記給電ブランチＩＩの長さが第２の予め設定した帯域に対応する波長の１／８である、
請求項５に記載のアンテナモジュール。
【請求項７】
前記少なくともの２つのブランチはさらに、給電ブランチＩＩＩを含み、
前記給電ブランチＩＩＩの、前記給電点に接続される１つの端部が、前記サポートの前記第１の側面上の前記給電ブランチＩＩ（に接続され、かつ前記サポートの前記第１の側面に沿って前記サポートの前記第４の側面へ延伸し、
前記給電ブランチＩＩＩの長さが第３の予め設定した帯域に対応する波長の１／１０である、
請求項６に記載のアンテナモジュール。
【請求項８】
接地プレートと、前記接地プレート上に配置された少なくとも２つのアンテナモジュールとを備えるＭＩＭＯアンテナであって、
各アンテナモジュールは、クリアランス領域と、サポートと、少なくとも２つのブランチとを有し、
各ブランチは、前記サポート上に配置され、前記サポートの、水平面上の部分投影が、前記クリアランス領域内に収まり、各ブランチの、給電点に接続される１つの端部の、前記水平面上の投影が前記クリアランス領域の外側にあり、末端の、前記水平面上の投影が前記クリアランス領域の内側にある、
ＭＩＭＯアンテナ。
【請求項９】
前記クリアランス領域は、互いに隣接する第１の側縁部および第２の側縁部と、前記第１の側縁部および前記第２の側縁部のそれぞれに対向して配置された第３の側縁部および第４の側縁部とを有し、前記サポートは、互いに隣接する第１の側面および第２の側面と、前記第１の側面および前記第２の側面のそれぞれに対向する第３の側面および第４の側面とを有し、
前記サポートの前記第２の側面の、前記水平面上の投影が、前記クリアランス領域の前記第２の側縁部の直線上に収まり、かつ前記クリアランス領域の前記第２の側縁部の少なくとも一部と重なり、前記サポートの、前記水平面上の投影と、前記クリアランス領域の前記第３の側縁部および前記第４の側縁部のそれぞれとの間の距離が０ｍｍ〜５ｍｍであり、前記サポートの前記第１の側面は前記クリアランス領域の外側にある、
請求項８に記載のＭＩＭＯアンテナ。
【請求項１０】
前記少なくとも２つのアンテナモジュールは、第１のアンテナモジュールおよび第２のアンテナモジュールを含み、前記第１のアンテナモジュールおよび前記第２のアンテナモジュールは、任意の２つの隣接アンテナモジュールであり、
前記第１のアンテナモジュールおよび前記第２のアンテナモジュールが同じ構造を有し、前記第１のアンテナモジュールおよび前記第２のアンテナモジュールが第１の方向および第２の方向において千鳥状に順次配置され、前記第１のアンテナモジュールの第２の側面が前記第１の方向と反対の第３の方向に面し、前記第２のアンテナモジュールの第２の側面が前記第２の方向に面する場合、前記２つの隣接アンテナモジュールの給電点の間の距離が、前記アンテナモジュールによりカバーされる最も低い帯域に対応する波長の１／４より長いかまたはそれに等しく、
前記第１のアンテナモジュールおよび前記第２のアンテナモジュールが鏡面対称であり、前記第１のアンテナモジュールおよび前記第２のアンテナモジュールが第１の方向および第２の方向において千鳥状に順次配置され、前記第１のアンテナモジュールの第２の側面が前記第１の方向と反対の第３の方向に面し、前記第２のアンテナモジュールの第２の側面が前記第２の方向に面する場合、前記２つの隣接アンテナモジュールの給電点の間の距離が、前記アンテナモジュールによりカバーされる最も低い帯域に対応する波長の１／４より長いかまたはそれに等しく、
前記第１のアンテナモジュールおよび前記第２のアンテナモジュールが鏡面対称であり、逆の給電方向を有する場合、前記２つの隣接アンテナモジュールの給電点の間の距離が、前記アンテナモジュールによりカバーされた最も低い帯域に対応する波長の１／８より長いかまたはそれに等しく、
前記第１のアンテナモジュールおよび前記第２のアンテナモジュールが鏡面対称であり、反対の給電方向を有する場合、前記２つの隣接アンテナモジュールの給電点の間の距離が、前記アンテナモジュールによりカバーされる最も低い帯域に対応する波長の１／４より長いかまたはそれに等しいか、または、
前記第１のアンテナモジュール（１）および前記第２のアンテナモジュールが鏡面対称であり、同じ給電方向を有し、前記２つの隣接アンテナモジュールの第４の側面が互いに対向して配置された場合、前記２つの隣接アンテナモジュールの給電点の間の距離が、前記アンテナモジュールによりカバーされる最も低い帯域に対応する波長の１／４より長いかまたはそれに等しい、
請求項９に記載のＭＩＭＯアンテナ。
【請求項１１】
２つから８つのアンテナモジュールが存在する、請求項１０に記載のＭＩＭＯアンテナ。
【請求項１２】
８つのアンテナモジュールが存在する場合、前記８つのアンテナモジュールは、第１の囲まれた領域を囲むように順次配置され、各アンテナモジュールの第２の側面が、前記第１の囲まれた領域の外部に面する、請求項１１に記載のＭＩＭＯアンテナ。
【請求項１３】
前記クリアランス領域は、互いに直交する第１の領域および第２の領域を有し、前記第１の領域は、互いに隣接する側縁部Ｉおよび側縁部ＩＩと、前記側縁部Ｉおよび前記側縁部ＩＩにそれぞれ対向して配置された側縁部ＩＩＩおよび側縁部ＩＶとを含み、前記第２の領域は、前記第１の領域の前記側縁部ＩＩの長さ方向に沿って延出する構造であり、前記サポートは、互いに隣接する第１の側面および第２の側面と、前記第１の側面および前記第２の側面にそれぞれ対向する第３の側面および第４の側面とを有し、
前記サポートの前記第３の側面の、前記水平面上の投影が、前記第１の領域の前記側縁部Ｉと重なり、前記サポートの前記第２の側面の、前記水平面上の投影が、前記第１の領域の前記側縁部ＩＶの直線上に収まり、かつ前記第１の領域の前記側縁部ＩＶの一部と重なり、前記サポートの、前記水平面上の投影と、前記第１の領域の前記側縁部ＩＩおよび前記第２の領域の、前記第１の領域から遠く離れた側縁部のそれぞれとの間の距離が０ｍｍ〜５ｍｍであり、前記サポートの前記第１の側面の、前記水平面上の部分投影が、前記クリアランス領域の外側にある、請求項８に記載のＭＩＭＯアンテナ。
【請求項１４】
前記少なくとも２つのアンテナモジュールは、第３のアンテナモジュールおよび第４のアンテナモジュールを含み、前記第３のアンテナモジュールおよび前記第４のアンテナモジュールは、任意の２つの隣接アンテナモジュールであり、
前記第３のアンテナモジュールおよび前記第４のアンテナモジュールが同じ構造を有し、互いに直交して配置され、前記第３のアンテナモジュールおよび前記第４のアンテナモジュールが第２の方向と反対の第４の方向に沿って順次配置され、前記第３のアンテナモジュールの第１の側面が前記第４のアンテナモジュールの第４の側面に対向する場合、前記２つの隣接アンテナモジュールの給電点との間の距離が、前記アンテナモジュールによりカバーされる最も低い帯域に対応する波長の１／８より長いかまたはそれに等しく、
前記第３のアンテナモジュールおよび前記第４のアンテナモジュールが、同じ構造を有して第４の方向に垂直する第１の方向に沿って順次配置され、前記第３のアンテナモジュールの第４の側面が前記第４のアンテナモジュールの第１の側面または第２の側面に対向する場合、前記２つの隣接アンテナモジュールの給電点の間の距離が、前記アンテナモジュールによりカバーされる最も低い帯域に対応する波長の１／４より長いかまたはそれに等しく、
前記第３のアンテナモジュールおよび前記第４のアンテナモジュールが同じ構造を有して逆の給電方向を有し、第４の方向に沿って順次配置された場合、前記２つの隣接アンテナモジュールの給電点の間の距離が、前記アンテナモジュールによりカバーされる最も低い帯域に対応する波長の１／４より長いかまたはそれに等しく、
前記第３のアンテナモジュールおよび前記第４のアンテナモジュールが鏡面対称であり、互いに直交して配置されて第４の方向に沿って順次配置され、前記第３のアンテナモジュールの第２の側面が前記第４のアンテナモジュール（の第１の側面に対向する場合、前記２つの隣接アンテナモジュールの給電点の間の距離が、前記アンテナモジュールによりカバーされた最も低い帯域に対応する波長の１／８より長いかまたはそれに等しいか、または、
前記第３のアンテナモジュールおよび前記第４のアンテナモジュールが鏡面対称であり、第１の方向に沿って順次配置され、前記第３のアンテナモジュールの第４の側面が前記第４のアンテナモジュールの第３の側面または第４の側面に対向する場合、前記２つの隣接アンテナモジュールの給電点の間の距離が、前記アンテナモジュールによりカバーされた最も低い帯域に対応する波長の１／４より長いかまたはそれに等しい、
請求項１３に記載のＭＩＭＯアンテナ。
【請求項１５】
２つから８つのアンテナモジュールが存在する、請求項１４に記載のＭＩＭＯアンテナ。
【請求項１６】
８つのアンテナモジュールが存在する場合、前記８つのアンテナモジュールは、第２の囲まれた領域を囲むように順次配置され、各アンテナモジュールの第２の側面または第３の側面が、前記第２の囲まれた領域の外部に面する、請求項１５に記載のＭＩＭＯアンテナ。
【請求項１７】
ＭＩＭＯアンテナと、プリント回路基板上に配置された無線周波数端部とを備える端末であって、前記ＭＩＭＯアンテナの各給電点が、前記無線周波数端部に接続され、前記無線周波数端部は、信号を前記ＭＩＭＯアンテナへ送信するか、または前記ＭＩＭＯアンテナにより送信された信号を受信し、
前記ＭＩＭＯアンテナは、接地プレートと、前記接地プレート上に配置された少なくとも２つのアンテナモジュールとを有し、
各アンテナモジュールは、クリアランス領域と、サポートと、少なくとも２つのブランチとを含み、
各ブランチは、前記サポート上に配置され、前記サポートの、水平面上の部分投影が、前記クリアランス領域内に収まり、各ブランチの、給電点に接続される１つの端部の、前記水平面上の投影が、前記クリアランス領域の外側にあり、末端の、前記水平面上の投影が、前記クリアランス領域の内側にある、
端末。
【国際調査報告】
2019506038.tif 000036
2019506038.tif 000037
2019506038.tif 000038
2019506038.tif 000039